【手続補正書】
【提出日】平成17年8月11日(2005.8.11)
【手続補正１】
【補正対象書類名】明細書
【補正対象項目名】特許請求の範囲
【補正方法】変更
【補正の内容】
【特許請求の範囲】
【請求項１】
透明基板の厚さがｔ１である第１の光情報記録媒体に対して光束を照射することで情報の記録又は再生を行う波長λ１の第１の光源と、透明基板の厚さがｔ２（ｔ１＜ｔ２）である第２の光情報記録媒体に対して光束を照射することで情報の記録又は再生を行う波長λ２（λ１＜λ２）である第２の光源と、前記第１及び前記第２の光源から出射された光束を、前記第１及び前記第２の光情報記録媒体の透明基板を介して情報記録面に集光させる対物光学素子を含む集光光学系と、を有する光ピックアップ装置の対物光学素子であって、
前記対物光学素子は、前記第１又は前記第２の光源からの光束を集光する対物レンズと、前記光束に光学的作用を与える光学機能面とを有し、
前記対物光学素子の光学機能面は、光軸を含み且つ前記第１の光情報記録媒体と前記第２の光情報記録媒体の両方に対して情報の記録及び／又は再生に用いられる共用領域と、該共用領域の外側に設けられ、主に前記第１の光情報記録媒体に対して情報の記録及び／又は再生に用いられる専用領域とを有し、
前記対物光学素子は、前記第１の光情報記録媒体において、有効径と前記対物光学素子の焦点距離とから定められる前記第１の光情報記録媒体上のスポット径を形成するとともに、
光軸からの高さを縦軸（ｘ）にとり、前記第２の光情報記録媒体の使用時における正弦条件不満足量を横軸（ｙ）にとり、前記共用領域において、光軸からの高さと前記正弦条件不満足量との関係を示す曲線についての微分値（ｄｙ／ｄｘ）を求めると、前記第２の光情報記録媒体の使用時において、前記対物光学素子の有効径の最外周部を通過する光線の光軸からの高さをｈCDNAとした場合、
ｈ＜０．６ｈCDNAのとき（ｄｙ／ｄｘ）≦０       （８）
であり且つ、光軸から第１の高さにおいてその微分値を傾きとする直線をひいたときに、前記第１の高さより光軸から遠い側で、前記曲線は前記直線より正側に存在する領域を有することを特徴とする光ピックアップ装置の対物光学素子。
【請求項２】
前記第１の光情報記録媒体の使用時において、前記共用領域における前記正弦条件不満足量を示す曲線は、光軸からの高さを縦軸（ｘ）にとり、前記第２の光情報記録媒体の使用時における正弦条件不満足量を横軸（ｙ）にとり、光軸からの高さと前記正弦条件不満足量との関係を示す曲線についての２階微分値（ｄ2ｙ／ｄｘ2）を求めると、前記共用領域の最外周部を通過する光線の光軸からの高さをｈ０として、
０．５ｈ0＜ｈ＜０．８ｈ0のとき（ｄ2ｙ／ｄｘ2）＞０       （８’）
であることを特徴とする請求項１に記載の光ピックアップ装置の対物光学素子。
【請求項３】
光軸からの高さを縦軸（ｘ）にとり、前記第１の光情報記録媒体の使用時における正弦条件不満足量を横軸（ｙ）にとり、前記専用領域において、光軸からの高さと前記正弦条件不満足量との関係を示す曲線についての微分値（ｄｙ／ｄｘ）を求めると、光軸からある高さにおいてその微分値を傾きとする直線をひいたときに、前記ある高さより光軸から遠い側で、前記曲線は前記直線より正側に存在する領域を有することを特徴とする請求項１又は２に記載の光ピックアップ装置の対物光学素子。
【請求項４】
前記第１の光情報記録媒体の使用時において、光軸からの高さがｈの無限物体距離光線が前記対物光学素子から出射したときに、出射後における該光線と光軸とのなす角をＵで表し、且つ正弦条件不満足量をＳＣ１（ｈ）＝ｈ／ｓｉｎＵ−ｆ（ｆは第１の光情報記録媒体使用時における前記対物光学素子の焦点距離）と定義した場合、前記専用領域の正弦条件不満足量は、前記光学素子ヘの入射光線の光軸からの高さが増大するにつれて、単調に増加することを特徴とする請求項１又は２に記載の光ピックアップ装置の対物光学素子。
【請求項５】
光軸からの高さがｈの無限物体距離光線が前記対物光学素子から出射したときに、出射後における該光線と光軸とのなす角をＵで表し、且つ正弦条件不満足量をＳＣ（ｈ）＝ｈ／ｓｉｎＵ−ｆ（ｆはそれぞれの情報記録媒体使用時における前記対物光学素子の焦点距離）と定義した場合、前記共用領域において、前記第１の光情報記録媒体の使用時に最小となる正弦条件不満足量の符号と、前記第２の光情報記録媒体の使用時に最小となる正弦条件不満足量の符号とが、負であることを特徴とする請求項１乃至４のいずれかに記載の光ピックアップ装置の対物光学素子。
【請求項６】
光軸からの高さがｈの無限物体距離光線が前記対物光学素子から出射したときに、出射後における該光線と光軸とのなす角をＵで表し、且つ正弦条件不満足量をＳＣ（ｈ）＝ｈ／ｓｉｎＵ−ｆ（ｆはそれぞれの情報記録媒体使用時における前記対物光学素子の焦点距離）と定義した場合、前記第１の光情報記録媒体の使用時における前記共用領域での正弦条件不満足量絶対値の最大値をＳＣ１ｍａｘ、前記第２の光情報記録媒体の使用時における前記共用領域での正弦条件不満足量絶対値の最大値をＳＣ２ｍａｘとすると、
０．００３ｍｍ≦ＳＣ１ｍａｘ≦０．０２０ｍｍ         （９）
０．０１０ｍｍ≦ＳＣ２ｍａｘ≦０．０４０ｍｍ         （１０）
を満たすことを特徴とする請求項１乃至５のいずれかに記載の光ピックアップ装置の対物光学素子。
【請求項７】
前記第１の光情報記録媒体の使用時において、前記対物光学素子の有効径の最外周部を通過する光線の光軸からの高さをｈｍａｘとした場合、前記最外周光線の正弦条件不満足量ＳＣ１が、
│ＳＣ１（ｈｍａｘ）│≦０．０１０ｍｍ               （１１）
を満たすことを特徴とする請求項１乃至６のいずれかに記載の光ピックアップ装置の対物光学素子。
【手続補正２】
【補正対象書類名】明細書
【補正対象項目名】０００８
【補正方法】変更
【補正の内容】
【０００８】
【課題を解決するための手段】
請求項１に記載の光ピックアップ装置の対物光学素子は、透明基板の厚さがｔ１である第１の光情報記録媒体に対して光束を照射することで情報の記録又は再生を行う波長λ１の第１の光源と、透明基板の厚さがｔ２（ｔ１＜ｔ２）である第２の光情報記録媒体に対して光束を照射することで情報の記録又は再生を行う波長λ２（λ１＜λ２）である第２の光源と、前記第１及び前記第２の光源から出射された光束を、前記第１及び前記第２の光情報記録媒体の透明基板を介して情報記録面に集光させる対物光学素子を含む集光光学系と、を有する光ピックアップ装置の対物光学素子であって、前記対物光学素子は、前記第１又は前記第２の光源からの光束を集光する対物レンズと、前記光束に光学的作用を与える光学機能面とを有し、前記対物光学素子の光学機能面は、光軸を含み且つ前記第１の光情報記録媒体と前記第２の光情報記録媒体の両方に対して情報の記録及び／又は再生に用いられる共用領域と、該共用領域の外側に設けられ、主に前記第１の光情報記録媒体に対して情報の記録及び／又は再生に用いられる専用領域とを有し、前記対物光学素子は、前記第１の光情報記録媒体において、有効径と前記対物光学素子の焦点距離とから定められる前記第１の光情報記録媒体上のスポット径を形成するとともに、光軸からの高さを縦軸（ｘ）にとり、前記第２の光情報記録媒体の使用時における正弦条件不満足量を横軸（ｙ）にとり、前記共用領域において、光軸からの高さと前記正弦条件不満足量との関係を示す曲線についての微分値（ｄｙ／ｄｘ）を求めると、前記第２の光情報記録媒体の使用時において、前記対物光学素子の有効径の最外周部を通過する光線の光軸からの高さをｈCDNAとした場合、
ｈ＜０．６ｈCDNAのとき（ｄｙ／ｄｘ）≦０                 （８）
であり且つ、光軸から第１の高さにおいてその微分値を傾きとする直線をひいたときに、前記第１の高さより光軸から遠い側で、前記曲線は前記直線より正側に存在する領域を有することを特徴とする。
【手続補正３】
【補正対象書類名】明細書
【補正対象項目名】０００９
【補正方法】変更
【補正の内容】
【０００９】
図２は、光軸からの高さを横軸（ｘ）にとり、前記第２の光情報記録媒体（例えばＣＤ）の使用時における正弦条件不満足量を縦軸（ｙ）にとり、前記共用領域と前記専用領域において、前記正弦条件不満足量を示す曲線ｆ２を求めた例を示す図である。ここで、曲線ｆ２は、常に負であって、且つ光軸から離れるにつれ負値が増大している。又、第１の高さｘ１において、その微分値を傾きとする直線ｄ１をひいたときに（第１の高さｘ１で曲線ｆ２に接線を引くことを意味する）、第１の高さｘ１より光軸から遠い側で、曲線ｆ２は直線（接線）ｄ１より正側に存在する領域Ｒ１を有する。尚、ｘ１と領域Ｒ１との間には、直線ｄ１より負側に存在する別な領域も有する。このような特性によれば、各光情報記録媒体使用時における軸外コマ収差バランスを取ることが可能になるという、後述する［１］の対物光学素子と同様な効果を得ることができる。
【手続補正４】
【補正対象書類名】明細書
【補正対象項目名】００１０
【補正方法】変更
【補正の内容】
【００１０】
尚、第４の高さｘ４において、その微分値を傾きとする直線（第４の高さｘ４で曲線ｆ２にひいた接線）をひいたとき、第１の高さｘ１より光軸から近い側で、曲線ｆ２は直線（接線）ｄ４より正側に存在する領域Ｒ４を有する。
【手続補正５】
【補正対象書類名】明細書
【補正対象項目名】００１１
【補正方法】変更
【補正の内容】
【００１１】
請求項２に記載の光ピックアップ装置の対物光学素子は、請求項１に記載の発明において、前記第１の光情報記録媒体の使用時において、前記共用領域における前記正弦条件不満足量を示す曲線は、光軸からの高さを縦軸（ｘ）にとり、前記第２の光情報記録媒体の使用時における正弦条件不満足量を横軸（ｙ）にとり、光軸からの高さと前記正弦条件不満足量との関係を示す曲線についての２階微分値（ｄ2ｙ／ｄｘ2）を求めると、前記共用領域の最外周部を通過する光線の光軸からの高さをｈ０として、
０．５ｈ0＜ｈ＜０．８ｈ0のとき（ｄ2ｙ／ｄｘ2）＞０       （８’）
であるので、請求項１に記載の発明に関連して説明した曲線を得ることができる。
【手続補正６】
【補正対象書類名】明細書
【補正対象項目名】００１２
【補正方法】変更
【補正の内容】
【００１２】
請求項３に記載の光ピックアップ装置の対物光学素子は、請求項１又は２に記載の発明において、光軸からの高さを縦軸（ｘ）にとり、前記第１の光情報記録媒体の使用時における正弦条件不満足量を横軸（ｙ）にとり、前記専用領域において、光軸からの高さと前記正弦条件不満足量との関係を示す曲線についての微分値（ｄｙ／ｄｘ）を求めると、光軸からある高さにおいてその微分値を傾きとする直線をひいたときに、前記ある高さより光軸から遠い側で、前記曲線は前記直線より正側に存在する領域を有することを特徴とする。
【手続補正７】
【補正対象書類名】明細書
【補正対象項目名】００１３
【補正方法】変更
【補正の内容】
【００１３】
図３は、光軸からの高さを横軸（ｘ）にとり、前記第１の光情報記録媒体（例えばＤＶＤ）の使用時における正弦条件不満足量を縦軸（ｙ）にとり、前記共用領域と前記専用領域において、前記正弦条件不満足量を示す曲線ｆ１を求めた例を示す図である。ここで、ある高さｘ２において、その微分値を傾きとする直線ｄ２をひいたときに（ある高さｘ２で曲線ｆ１に接線を引くことを意味する）、ある高さｘ２より光軸から遠い側で、曲線ｆ１は直線（接線）ｄ２より正側に存在する領域Ｒ２を有する。尚、ｘ２と領域Ｒ２との間には、直線ｄ２より負側に存在する別な領域も有する。このような特性を有すれば、後述する［５］の対物光学素子と同様な効果を得ることができる。
【手続補正８】
【補正対象書類名】明細書
【補正対象項目名】００１４
【補正方法】変更
【補正の内容】
【００１４】
請求項４に記載の光ピックアップ装置の対物光学素子は、請求項１又は２に記載の発明において、前記第１の光情報記録媒体の使用時において、光軸からの高さがｈの無限物体距離光線が前記対物光学素子から出射したときに、出射後における該光線と光軸とのなす角をＵで表し、且つ正弦条件不満足量をＳＣ１（ｈ）＝ｈ／ｓｉｎＵ−ｆ（ｆは第１の光情報記録媒体使用時における前記対物光学素子の焦点距離）と定義した場合、前記専用領域の正弦条件不満足量は、前記光学素子ヘの入射光線の光軸からの高さが増大するにつれて、単調に増加することを特徴とする。
【手続補正９】
【補正対象書類名】明細書
【補正対象項目名】００１５
【補正方法】変更
【補正の内容】
【００１５】
請求項５に記載の光ピックアップ装置の対物光学素子は、請求項１乃至４のいずれかに記載の発明において、光軸からの高さがｈの無限物体距離光線が前記対物光学素子から出射したときに、出射後における該光線と光軸とのなす角をＵで表し、且つ正弦条件不満足量をＳＣ（ｈ）＝ｈ／ｓｉｎＵ−ｆ（ｆはそれぞれの情報記録媒体使用時における前記対物光学素子の焦点距離）と定義した場合、前記共用領域において、前記第１の光情報記録媒体の使用時に最小となる正弦条件不満足量の符号と、前記第２の光情報記録媒体の使用時に最小となる正弦条件不満足量の符号とが、負であることを特徴とする。
【手続補正１０】
【補正対象書類名】明細書
【補正対象項目名】００１６
【補正方法】変更
【補正の内容】
【００１６】
請求項６に記載の光ピックアップ装置の対物光学素子は、請求項１乃至５のいずれかに記載の発明において、光軸からの高さがｈの無限物体距離光線が前記対物光学素子から出射したときに、出射後における該光線と光軸とのなす角をＵで表し、且つ正弦条件不満足量をＳＣ（ｈ）＝ｈ／ｓｉｎＵ−ｆ（ｆはそれぞれの情報記録媒体使用時における前記対物光学素子の焦点距離）と定義した場合、前記第１の光情報記録媒体の使用時における前記共用領域での正弦条件不満足量絶対値の最大値をＳＣ１ｍａｘ、前記第２の光情報記録媒体の使用時における前記共用領域での正弦条件不満足量絶対値の最大値をＳＣ２ｍａｘとすると、
０．０  ０３ｍｍ≦ＳＣ１ｍａｘ≦０．０２０ｍｍ         （９）
０．０１０ｍｍ≦ＳＣ２ｍａｘ≦０．０４０ｍｍ           （１０）
を満たすことを特徴とする。
【手続補正１１】
【補正対象書類名】明細書
【補正対象項目名】００１７
【補正方法】変更
【補正の内容】
【００１７】
請求項７に記載の光ピックアップ装置の対物光学素子は、請求項１乃至６のいずれかに記載の発明において、前記第１の光情報記録媒体の使用時において、前記対物光学素子の有効径の最外周部を通過する光線の光軸からの高さをｈｍａｘとした場合、前記最外周光線の正弦条件不満足量ＳＣ１が、
│ＳＣ１（ｈｍａｘ）│≦０．０１０ｍｍ                   （１１）
を満たすことを特徴とする。
【手続補正１２】
【補正対象書類名】明細書
【補正対象項目名】００１８
【補正方法】変更
【補正の内容】
【００１８】
［１］の光ピックアップ装置の対物光学素子は、透明基板の厚さがｔ１である第１の光情報記録媒体に対して光束を照射することで情報の記録又は再生を行うようになっている波長λ１の第１の光源と、透明基板の厚さがｔ２（ｔ１＜ｔ２）である第２の光情報記録媒体に対して光束を照射することで情報の記録又は再生を行うようになっている波長λ２（λ１＜λ２）である第２の光源と、前記第１及び前記第２の光源から出射された光束を、前記第１及び前記第２の光情報記録媒体の透明基板を介して情報記録面に集光させる対物光学素子を含む集光光学系と、を有する光ピックアップ装置の対物光学素子であって、前記対物光学素子は、前記第１又は前記第２の光源からの光束を集光する対物レンズと、前記光束に光学的作用を与える光学機能面とを有し、前記対物光学素子の光学機能面は、光軸を含み且つ前記第１の光情報記録媒体と前記第２の光情報記録媒体の両方に対して情報の記録及び／又は再生に用いられる共用領域と、該共用領域の外側（光軸から離れた側、以下同じ）に設けられ、主に前記第１の光情報記録媒体に対して情報の記録及び／又は再生に用いられる専用領域とを有し、前記対物光学素子は、前記第１の光情報記録媒体において、有効径と前記対物光学素子の焦点距離とから定められる前記第１の光情報記録媒体上のスポット径を形成するとともに、前記第１の光情報記録媒体の使用時において、正弦条件不満足量が最大となる場合が共用領域に存在し、前記第１の光情報記録媒体の使用時に画角１°で前記対物光学素子に斜入射する場合に発生するコマ収差をＣＯＭＡ１（λ１ｒｍｓ）、前記第２の光情報記録媒体の使用時に画角１°で前記対物光学素子に斜入射する場合に発生するコマ収差をＣＯＭＡ２（λ２ｒｍｓ）とすると、 ０．５≦  ＣＯＭＡ２／ＣＯＭＡ１≦１．０                             （１）
を満たすことを特徴とする。尚、コマ収差に関して、波長λの光源からの光束に関して波面収差の３次のコマ収差をΔＷ３（λｒｍｓ）、５次のコマ収差をΔＷ５（λｒｍｓ）、７次のコマ収差をΔＷ７（λｒｍｓ）とすると、コマ収差ＣＯＭＡ（λｒｍｓ）は、以下の式で求められる。
ＣＯＭＡ＝｛（ΔＷ３）２＋（ΔＷ５）２＋（ΔＷ７）２｝１／２ （１’）
【手続補正１３】
【補正対象書類名】明細書
【補正対象項目名】００１９
【補正方法】変更
【補正の内容】
【００１９】
本発明者らは、鋭意研究の結果、対物レンズ設計、特に正弦条件不満足量設計を見直すことで、これらの問題を解決できることを見出した。また、前記第１の光情報記録媒体（例えばＤＶＤ）と前記第２の光情報記録媒体（例えばＣＤ）の共用領域について、前記第１の光情報記録媒体の正弦条件不満足量の状態を工夫することにより、前記第１の光情報記録媒体専用領域の正弦条件不満足量のより好ましい設計を見出した。さらにまた、前記第１及び前記第２の光情報記録媒体使用時（情報の記録又は再生時ともいう）に発生するコマ収差の波面収差量を抑えることで、２レーザー１パッケージモジュールの配置誤差に強く、必ず軸外使用となるいずれの光情報記録媒体に対してもコマ収差の発生を抑えることができることを見出した。この技術は２レーザー１パッケージモジュール光源を使用しない光ピックアップ装置でも、小型化を図ろうとすることで焦点距離を短かくした対物光学素子にも有効である。
【手続補正１４】
【補正対象書類名】明細書
【補正対象項目名】００２０
【補正方法】変更
【補正の内容】
【００２０】
ここに正弦条件とは図１に示すように、光軸からの高さｈ１の光線が、レンズに対して光軸平行入射時に、かかる光線がレンズから出射した際の射出角度がＵである時にｈ１／ｓｉｎＵが一定値を満たすことである。これが光軸からの高さｈ１からの高さに関わらず一定値である場合には、正弦条件が満たされて有効径内の各光線の横倍率が一定であると見なせる。この正弦条件は軸上での計算値であるが、軸外の横倍率誤差（すなわち軸外コマ収差）補正を行う上では有効である。
【手続補正１５】
【補正対象書類名】明細書
【補正対象項目名】００２１
【補正方法】変更
【補正の内容】
【００２１】
ただし本発明が、かかる技術分野の範囲内にある光情報記録媒体の保護基板の厚さが異なる場合には、次のような課題が存在する。一方の（第１の）光情報記録媒体（例えば厚さｔ１）使用時に正弦条件を完全に補正してしまうと、他方の厚さｔ２の（第２の）光情報記録媒体の使用時での正弦条件が、一定値からのズレ量が大きくなり結果として軸外のコマ収差が大きくなってしまうという特性がある。かかる場合における正弦条件不満足量をＳＣ＝ｈ１／ｓｉｎＵ−ｆと定義した場合に、有効径内の光線高さｈ１における正弦条件不満足量を前記第１の光情報記録媒体、前記第２の光情報記録媒体の使用時でそれぞれ振り分け設計を行うことで、結果として各光情報記録媒体使用時における軸外コマ収差バランスを取ることが可能であることを、本発明者らは見出したのである。より具体的には、（１）式を満たすことで、以上の効果を得ることができる。
【手続補正１６】
【補正対象書類名】明細書
【補正対象項目名】００２２
【補正方法】変更
【補正の内容】
【００２２】
一方、正弦条件不満足量の絶対値を大きくしすぎると、次のような不具合が生じる。光情報記録媒体毎に必要開口数が定められているが、それは光情報記録媒体面上のスポットサイズにも関連がある。ここで、正弦条件不満足量がプラスとなると対物光学素子（後述する実施例では対物レンズ、以下同じ）出射後の光線傾角が小さくなるため、正弦条件不満足量を補正した同じ焦点距離の対物光学素子に同じ有効径光束が入射しても光情報記録媒体面上に形成されるスポット径が絞りきれなくなる。このスポット径を所望のものを得ようとすると絞り径を大きくする必要があり、トラッキングマージンが狭くなる。よって、理想対物光学素子の焦点距離と有効径とから求められるスポット径を光情報記録媒体面上に形成することが好ましい。
【手続補正１７】
【補正対象書類名】明細書
【補正対象項目名】００２３
【補正方法】変更
【補正の内容】
【００２３】
ここで、「光学機能面」とは、各光源からの光束が通過する前記対物光学素子のレンズ面のことを意味する。本明細書では、前記第１光情報記録媒体使用時の絞り開口径で制限される光束が通過するレンズ面の範囲とする。
【手続補正１８】
【補正対象書類名】明細書
【補正対象項目名】００２４
【補正方法】変更
【補正の内容】
【００２４】
又、「主に前記第１の光情報記録媒体に対して情報の記録及び／又は再生に用いられる」における、「主に」の意義ついて説明する。前記第１の光情報記録媒体使用時に専用領域を通過する光束は、光情報記録媒体面上で対物レンズの合焦デフォーカス時に結像させている。ここで、前記第２の光情報記録媒体使用時で専用領域を通過する光束は、前記第２の光情報記録媒体面上では前記対物レンズの合焦デフォーカス時にはスポット光から離れた場所でフレアー光となる。ここで、「主に」という言葉を使用しているのは、次の2点の理由からによる。まず、第１の理由としては、光ピックアップ装置に通常設けられている信号検出用のセンサーに着目すると、センサーの開口サイズによっては、このフレアー光がセンサー開口内に入射する場合も生じる。この場合はフレアー光も含めた上で前記対物レンズのデフォーカス制御を実用上行うことになり、広義な意味では第２の光情報記録媒体使用時でも、この専用領域を通過する光束の影響を実使用上受けることがある。また、第２の理由としては、波動光学的には光情報記録媒体でのフレアー光とスポット光との位相差を制御することでスポット光のエアリーディスクのピーク強度を高めることも可能になることがある。このような理由から、本発明では無用な限定を避けるべく、「主に」という語句を用いたものである。
【手続補正１９】
【補正対象書類名】明細書
【補正対象項目名】００２５
【補正方法】変更
【補正の内容】
【００２５】
更に、「対物光学素子」とは、前記対物レンズの光学面に前記光学機能面を設けたものであっても良く、前記対物レンズの他に、前記光学機能面を設けた光学素子を別個に設けても良い。
【手続補正２０】
【補正対象書類名】明細書
【補正対象項目名】００２６
【補正方法】変更
【補正の内容】
【００２６】
［２］の光ピックアップ装置の対物光学素子は、透明基板の厚さがｔ１である第１の光情報記録媒体に対して光束を照射することで情報の記録又は再生を行う波長λ１の第１の光源と、透明基板の厚さがｔ２（ｔ１＜ｔ２）である第２の光情報記録媒体に対して光束を照射することで情報の記録又は再生を行う波長λ２（λ１＜λ２）である第２の光源と、前記第１及び前記第２の光源から出射された光束を、前記第１及び前記第２の光情報記録媒体の透明基板を介して情報記録面に集光させる対物光学素子を含む集光光学系と、を有する光ピックアップ装置の対物光学素子であって、前記対物光学素子は、前記第１又は前記第２の光源からの光束を集光する対物レンズと、前記光束に光学的作用を与える光学機能面とを有し、前記対物光学素子の光学機能面は、光軸を含み且つ前記第１の光情報記録媒体と前記第２の光情報記録媒体の両方に対して情報の記録及び／又は再生に用いられる共用領域と、該共用領域の外側に設けられ、主に前記第１の光情報記録媒体に対して情報の記録及び又は再生に用いられる専用領域とを有し、前記対物光学素子は、前記第１の光情報記録媒体において、有効径と前記対物光学素子の焦点距離とから定められる前記第１の光情報記録媒体上のスポット径を形成するとともに、光軸からの高さがｈの無限物体距離光線が前記対物光学素子から出射したときに、出射後における該光線と光軸とのなす角をＵで表し、且つ正弦条件不満足量をＳＣ（ｈ）＝ｈ／ｓｉｎＵ−ｆ（ｆはそれぞれの情報記録媒体使用時における前記対物光学素子の焦点距離）と定義した場合、前記共用領域において、前記第１の光情報記録媒体の使用時に最小となる正弦条件不満足量の符号と、前記第２の光情報記録媒体の使用時に最小となる正弦条件不満足量の符号とが、負であることを特徴とする。
【手続補正２１】
【補正対象書類名】明細書
【補正対象項目名】００２７
【補正方法】変更
【補正の内容】
【００２７】
［２］の対物光学素子においては、共用領域において、第１の光情報記録媒体（たとえばＤＶＤ）の使用時に正弦条件不満足量が最小となる正弦条件不満足量（図８（ａ）でＱ１）の符号と、第２の光情報記録媒体（たとえばＣＤ）の使用時に正弦条件不満足量が最小となる正弦条件不満足量（図８（ｂ）でＱ２）の符号とが、負であるので、各光情報記録媒体使用時における軸外コマ収差バランスを取ることができる。
【手続補正２２】
【補正対象書類名】明細書
【補正対象項目名】００２８
【補正方法】変更
【補正の内容】
【００２８】
［３］の光ピックアップ装置の対物光学素子は、光軸からの高さがｈの無限物体距離光線が前記対物光学素子から出射したときに、出射後における該光線と光軸とのなす角をＵで表し、且つ正弦条件不満足量をＳＣ（ｈ）＝ｈ／ｓｉｎＵ−ｆ（ｆはそれぞれの情報記録媒体使用時における前記対物光学素子の焦点距離）と定義した場合、前記第１の光情報記録媒体の使用時における共用領域での正弦条件不満足量絶対値の最大値をＳＣ１ｍａｘ、前記第２の光情報記録媒体の使用時における共用領域での正弦条件不満足量絶対値の最大値をＳＣ２ｍａｘとすると、
０．００３ｍｍ≦ＳＣ１ｍａｘ≦０．０２０ｍｍ           （２）
０．０１０ｍｍ≦ＳＣ２ｍａｘ≦０．０４０ｍｍ           （３）
を満たすことを特徴とする。
【手続補正２３】
【補正対象書類名】明細書
【補正対象項目名】００２９
【補正方法】変更
【補正の内容】
【００２９】
ＳＣ１ｍａｘ、ＳＣ２ｍａｘが、下限値以上であれば、前記第１の光情報記録媒体での正弦条件不満足量が一般に小さくならないため、前記第１の光情報記録媒体使用時の軸外コマ収差が良好となる。一方、ＳＣ１ｍａｘ、ＳＣ２ｍａｘが上限値以下であれば、前記第２の光情報記録媒体使用時の軸外コマ収差が良好となる。
【手続補正２４】
【補正対象書類名】明細書
【補正対象項目名】００３０
【補正方法】変更
【補正の内容】
【００３０】
［４］の光ピックアップ装置の対物光学素子は、前記第１の光情報記録媒体の使用時において、前記対物光学素子の有効径の最外周部を通過する光線の光軸からの高さをｈｍａｘとした場合、前記最外周光線の正弦条件不満足量ＳＣ１が、  │ＳＣ１（ｈｍａｘ）│≦０．０１０ｍｍ                   （４）
を満たすと、前記第１の光情報記録媒体において、有効径と前記対物光学素子の焦点距離とから定められる前記第１の光情報記録媒体上のスポット径を満たす前記対物光学素子を提供できる。
【手続補正２５】
【補正対象書類名】明細書
【補正対象項目名】００３１
【補正方法】変更
【補正の内容】
【００３１】
［５］の光ピックアップ装置の対物光学素子は、光軸からの高さがｈの無限物体距離光線が前記対物光学素子から出射したときに、出射後における該光線と光軸とのなす角をＵで表し、且つ正弦条件不満足量をＳＣ（ｈ）＝ｈ／ｓｉｎＵ−ｆ（ｆはそれぞれの情報記録媒体使用時における前記対物光学素子の焦点距離）と定義した場合、前記第１の光情報記録媒体の使用時における、前記共用領域での正弦条件不満足量絶対値が最大値をとる正弦条件不満足量（図８（ａ）でＱ１）の符号は負であることを特徴とする。
【手続補正２６】
【補正対象書類名】明細書
【補正対象項目名】００３２
【補正方法】変更
【補正の内容】
【００３２】
［６］の光ピックアップ装置の対物光学素子は、光軸からの高さがｈの無限物体距離光線が前記対物光学素子から出射したときに、出射後における該光線と光軸とのなす角をＵで表し、且つ正弦条件不満足量をＳＣ（ｈ）＝ｈ／ｓｉｎＵ−ｆ（ｆはそれぞれの情報記録媒体使用時における前記対物光学素子の焦点距離）と定義した場合、前記第１の光情報記録媒体の使用時における、前記共用領域での正弦条件不満足量の最小値をＳＣ１Dmin、専用領域での正弦条件不満足量の最小値をＳＣ１Smin（図８（ａ）参照）すると、 
１．２・ＳＣ１Dmin ≦ ＳＣ１Smin                           （５）
であることを特徴とする。
【手続補正２７】
【補正対象書類名】明細書
【補正対象項目名】００３３
【補正方法】変更
【補正の内容】
【００３３】
［７］の光ピックアップ装置の対物光学素子は、光軸からの高さがｈの無限物体距離光線が前記対物光学素子から出射したときに、出射後における該光線と光軸とのなす角をＵで表し、且つ正弦条件不満足量をＳＣ（ｈ）＝ｈ／ｓｉｎＵ−ｆ（ｆはそれぞれの情報記録媒体使用時における前記対物光学素子の焦点距離）と定義した場合、前記第１の光情報記録媒体の使用時における正弦条件不満足量が、前記共用領域から前記専用領域に切り替わる部分（図８（ａ）でｈ0）で、負（−）側に不連続となることを特徴とする。
【手続補正２８】
【補正対象書類名】明細書
【補正対象項目名】００３４
【補正方法】変更
【補正の内容】
【００３４】
［８］の光ピックアップ装置の対物光学素子は、光軸からの高さがｈの無限物体距離光線が前記対物光学素子から出射したときに、出射後における該光線と光軸とのなす角をＵで表し、且つ正弦条件不満足量をＳＣ（ｈ）＝ｈ／ｓｉｎＵ−ｆ（ｆはそれぞれの情報記録媒体使用時における前記対物光学素子の焦点距離）と定義した場合、前記第１の光情報記録媒体の使用時に、前記共用領域において正弦条件不満足量が最大となる正弦条件不満足量（図８（ａ）でＱ３）の符号は正であることを特徴とする。
【手続補正２９】
【補正対象書類名】明細書
【補正対象項目名】００３５
【補正方法】変更
【補正の内容】
【００３５】
［９］の光ピックアップ装置の対物光学素子は、前記第１の光情報記録媒体の使用時において、光軸からの高さがｈの無限物体距離光線が前記対物光学素子から出射したときに、出射後における該光線と光軸とのなす角をＵで表し、且つ正弦条件不満足量をＳＣ１（ｈ）＝ｈ／ｓｉｎＵ−ｆ（ｆは第１の光情報記録媒体使用時における前記対物光学素子の焦点距離）と定義した場合、前記専用領域の最内周部を通過する光線の正弦条件不満足量をＳＣ１out（ｈ0）、前記共用領域における正弦条件不満足量の最小値をＳＣ１Dminとすると、
１．２・ＳＣ１Dmin≦ＳＣ１out（ｈ0）                       （６）
であることを特徴とする。
【手続補正３０】
【補正対象書類名】明細書
【補正対象項目名】００３６
【補正方法】変更
【補正の内容】
【００３６】
［１０］の光ピックアップ装置の対物光学素子は、前記第１の光情報記録媒体の使用時において、正弦条件不満足量の絶対値が最大となる場合が前記共用領域に存在し、前記第１の光情報記録媒体の使用時に画角１°で前記対物光学素子に斜入射する場合に発生するコマ収差をＣＯＭＡ１（λ１ｒｍｓ）、前記第２の光情報記録媒体の使用時に画角１°で前記対物光学素子に斜入射する場合に発生するコマ収差をＣＯＭＡ２（λ２ｒｍｓ）とすると、
０．５≦ＣＯＭＡ１／ＣＯＭＡ２≦１．０                     （７）
を満たすことを特徴とする。
【手続補正３１】
【補正対象書類名】明細書
【補正対象項目名】００３７
【補正方法】変更
【補正の内容】
【００３７】
［１８］の光ピックアップ装置の対物光学素子は、透明基板の厚さがｔ１である第１の光情報記録媒体に対して光束を照射することで情報の記録又は再生を行う波長λ１の第１の光源と、透明基板の厚さがｔ２（ｔ１＜ｔ２）である第２の光情報記録媒体に対して光束を照射することで情報の記録又は再生を行う波長λ２（λ１＜λ２）である第２の光源と、前記第１及び前記第２の光源から出射された光束を、前記第１及び前記第２の光情報記録媒体の透明基板を介して情報記録面に集光させる対物光学素子を含む集光光学系と、を有する光ピックアップ装置の対物光学素子であって、前記対物光学素子は、前記第１又は前記第２の光源からの光束を集光する対物レンズと、前記光束に光学的作用を与える光学機能面とを有し、前記対物光学素子の光学機能面は、光軸を含み且つ前記第１の光情報記録媒体と前記第２の光情報記録媒体の両方に対して情報の記録及び／又は再生に用いられる共用領域と、該共用領域の外側に設けられ、主に前記第１の光情報記録媒体に対して情報の記録及び／又は再生に用いられる専用領域とを有し、前記対物光学素子は、前記第１の光情報記録媒体において、有効径と前記対物光学素子の焦点距離とから定められる前記第１の光情報記録媒体上のスポット径を形成するとともに、前記第１の光情報記録媒体の使用時において、光軸からの高さがｈの無限物体距離光線が前記対物光学素子から出射したときに、出射後における該光線と光軸とのなす角をＵで表し、且つ正弦条件不満足量をＳＣ１（ｈ）＝ｈ／ｓｉｎＵ−ｆ（ｆは第１の光情報記録媒体使用時における前記対物光学素子の焦点距離）と定義した場合、前記専用領域の最内周部を通過する光線の、光軸からの高さをｈ０、正弦条件不満足量をＳＣ１out（ｈ0）、前記対物光学素子の有効径の最外周部を通過する光線の光軸からの高さをｈｍａｘとすると、
ＳＣ１（ｈ０／２）≦ＳＣ１out（ｈ0）                   （１２）
ＳＣ１（ｈ０／２）≦０                                 （１３）
ＳＣ１（ｈｍａｘ）≧０                                 （１４）
を満たすことを特徴とする。
【手続補正３２】
【補正対象書類名】明細書
【補正対象項目名】００３８
【補正方法】変更
【補正の内容】
【００３８】
（１２）〜（１４）式の関係は、図２及び後述する実施例より明らかであり、このように正弦条件不満足量を設定することで、各光情報記録媒体使用時における軸外コマ収差バランスを取ることが可能になるという、［１］の発明と同様な効果を得ることができる。
【手続補正３３】
【補正対象書類名】明細書
【補正対象項目名】００３９
【補正方法】変更
【補正の内容】
【００３９】
［１９］の光ピックアップ装置の対物光学素子は、前記第１の光情報記録媒体の使用時において、光軸からの高さがｈの無限物体距離光線が前記対物光学素子から出射したときに、出射後における該光線と光軸とのなす角をＵで表し、且つ正弦条件不満足量をＳＣ１（ｈ）＝ｈ／ｓｉｎＵ−ｆ（ｆは第１の光情報記録媒体使用時における前記対物光学素子の焦点距離）と定義した場合、前記共用領域の最外周部を通過する光線の正弦条件不満足量の符号が正であることを特徴とする。
【手続補正３４】
【補正対象書類名】明細書
【補正対象項目名】００４０
【補正方法】変更
【補正の内容】
【００４０】
［２０］の光ピックアップ装置の対物光学素子は、前記対物光学素子の光学機能面上において、光軸を回転中心とした回折構造と、該光学機能面上の光情報記録媒体側の面において、光軸を含み且つ前記第１の光情報記録媒体と前記第２の光情報記録媒体の両方に対して情報の記録及び／又は再生に用いられる共用領域と、該共用領域の外側に設けられ、主に前記第１の光情報記録媒体に対して情報の記録及び／又は再生に用いられる専用領域とを有し、前記共用領城と前記専用領域に隣接し、光軸にほぼ平行でかつ光軸に対し外側を向いた段差部が設けられていることを特徴とする。
【手続補正３５】
【補正対象書類名】明細書
【補正対象項目名】００４１
【補正方法】変更
【補正の内容】
【００４１】
図９は、前記光情報記録媒体側の前記光学機能面上に形成される段差及び回折輪帯を誇張して示した対物光学素子（たとえば対物レンズ）の断面図である。図９に示すように、共用領城と専用領域とに隣接して、光軸にほぼ平行でかつ光軸に対し外側を向いた段差部Ｔ２が設けられている。かかる段差部Ｔ２を設けることで、［１］の発明に関連して説明したように、各光情報記録媒体使用時における軸外コマ収差バランスを取ることができる。尚、前記共用領域及び前記専用領域の少なくとも一方（この例では光源側）に回折構造Ｄが設けられている場合、図１０に示すように、前記段差部（Ｔ１，Ｔ２）の段差量（ｄ１，ｄ２）は、母非球面の位置と、母非球面に設けられた回折構造の段差量とにより決まるものである。
【手続補正３６】
【補正対象書類名】明細書
【補正対象項目名】００４２
【補正方法】変更
【補正の内容】
【００４２】
［２１］の光ピックアップ装置の対物光学素子において、前記段差部の段差量ｄ２（図９参照）は、
０．０００ｍｍ＜ｄ２≦０．００４ｍｍ                 （１５）
であることを特徴とする。
【手続補正３７】
【補正対象書類名】明細書
【補正対象項目名】００４３
【補正方法】変更
【補正の内容】
【００４３】
［２２］の光ピックアップ装置の対物光学素子は、透明基板の厚さがｔ１である第１の光情報記録媒体に対して光束を照射することで情報の記録又は再生を行う波長λ１の第１の光源と、透明基板の厚さがｔ２（ｔ１＜ｔ２）である第２の光情報記録媒体に対して光束を照射することで情報の記録又は再生を行う波長λ２（λ１＜λ２）である第２の光源と、前記第１及び前記第２の光源から出射された光束を、前記第１及び前記第２の光情報記録媒体の透明基板を介して情報記録面に集光させる対物光学素子を含む集光光学系と、を有する光ピックアップ装置の対物光学素子であって、前記対物光学素子は、前記第１又は前記第２の光源からの光束を集光する対物レンズと、前記光束に光学的作用を与える光学機能面とを有し、前記対物光学素子の光源側の前記光学機能面には、光軸を回転中心とした回折構造が設けられ、前記対物光学素子の光情報記録媒体側の光学機能面には、光軸を含み且つ前記第１の光情報記録媒体と前記第２の光情報記録媒体の両方に対して情報の記録及び／又は再生に用いられる共用領域と、該共用領域の外側に設けられ、主に前記第１の光情報記録媒体に対して情報の記録及び／又は再生に用いられる専用領域と、前記共用領域と前記専用領域に隣接し、光軸にほぼ平行でかつ光軸に対して外側を向いた段差部とが設けられており、前記対物光学素子は、前記第１の光情報記録媒体において、有効径と前記対物光学素子の焦点距離とから定められる前記第１の光情報記録媒体上のスポット径を形成することを特徴とする。
【手続補正３８】
【補正対象書類名】明細書
【補正対象項目名】００４４
【補正方法】変更
【補正の内容】
【００４４】
［２２］の対物光学素子によれば、図９に示すように、共用領城と専用領域とに隣接して、光軸にほぼ平行でかつ光軸に対し外側を向いた段差部Ｔ２を設けているので、［１］の発明に関連して説明したように、各光情報記録媒体使用時における軸外コマ収差バランスを取ることができる。
【手続補正３９】
【補正対象書類名】明細書
【補正対象項目名】００４５
【補正方法】変更
【補正の内容】
【００４５】
［２３］の光ピックアップ装置の対物光学素子は、前記対物光学素子の前記共用領域における前記段差部との隣接部と、前記専用領域における前記段差部との隣接部とで、局所曲率Ｒ（ｈ）の符号が異なることを特徴とする。尚、局所曲率Ｒ（ｈ）の式は後述する。
【手続補正４０】
【補正対象書類名】明細書
【補正対象項目名】００４６
【補正方法】変更
【補正の内容】
【００４６】
［２４］の光ピックアップ装置の対物光学素子は、前記共用領域における前記段差部との隣接部と、前記専用領域における前記段差部との隣接部とで、局所曲率Ｒ（ｈ）の符号が正から負に反転することを特徴とする。
【手続補正４１】
【補正対象書類名】明細書
【補正対象項目名】００４７
【補正方法】変更
【補正の内容】
【００４７】
［２５］の光ピックアップ装置の対物光学素子は、前記対物光学素子の光源側の光学機能面には、光軸を含み且つ前記第１の光情報記録媒体と前記第２の光情報記録媒体の両方に対して情報の記録及び／又は再生に用いられる共用領域と、該共用領域の外側に設けられ、主に前記第１の光情報記録媒体に対して情報の記録及び／又は再生に用いられる専用領域と、前記共用領域と前記専用領域に隣接し、光軸にほぼ平行でかつ光軸に対して内側を向いた段差部（図９でＴ１）が設けられていることを特徴とする。
【手続補正４２】
【補正対象書類名】明細書
【補正対象項目名】００４８
【補正方法】変更
【補正の内容】
【００４８】
［２６］の光ピックアップ装置の対物光学素子において、前記光情報記録媒体側の光学機能面における段差部（図９でＴ２）の段差量ｄ２は、
０．０００ｍｍ＜ｄ２＜０．００４ｍｍ                   （１６）
であることを特徴とする。
【手続補正４３】
【補正対象書類名】明細書
【補正対象項目名】００４９
【補正方法】変更
【補正の内容】
【００４９】
［２７］の光ピックアップ装置の対物光学素子において、前記光源側の光学機能面における段差部（図９でＴ１）の段差量ｄ１は、
０．０００ｍｍ＜ｄ１＜０．００４ｍｍ                   （１７）
であることを特徴とする。
【手続補正４４】
【補正対象書類名】明細書
【補正対象項目名】００５０
【補正方法】変更
【補正の内容】
【００５０】
［２８］の光ピックアップ装置の対物光学素子は、前記対物光学素子における光源側の共用領域に、光軸を回転中心とした回折構造（図９でＤ）が形成されたことを特徴とする。
【手続補正４５】
【補正対象書類名】明細書
【補正対象項目名】００５１
【補正方法】変更
【補正の内容】
【００５１】
［２９］の光ピックアップ装置の対物光学素子は、前記第１の光情報記録媒体及び前記第２の光情報記録媒体の使用時において、それぞれ前記対物光学素子単体での結像倍率がほぼ無限倍率であることを特徴とする。
【手続補正４６】
【補正対象書類名】明細書
【補正対象項目名】００５２
【補正方法】変更
【補正の内容】
【００５２】
［３０］の光ピックアップ装置の対物光学素子は、前記光源から前記光情報記録媒体までの光学系の倍率ｍが、第１の光情報記録媒体及び第２の光情報記録媒体の使用時において、それぞれ−１／５≦ｍ≦−１／１０であることを特徴とする。値ｍが下限値以上であれば、光源位置ズレに対しての各光情報記録媒体の記録面での位置ズレ量が大きくならず誤差要因を減らすことができ、上限値以下であれば、光路長が長くなりすぎず、光ピックアップ装置をコンパクトにできる。
【手続補正４７】
【補正対象書類名】明細書
【補正対象項目名】００５３
【補正方法】変更
【補正の内容】
【００５３】
［３１］の光ピックアップ装置の対物光学素子は、前記第１の光情報記録媒体の使用時における前記対物光学素子単体での結像倍率は、前記第２の光情報記録媒体の使用時における前記対物光学素子単体での結像倍率と異なるので、例えば第１の光情報記録媒体の使用時には、前記対物光学素子に無限光束を入射させ、前記第２の光情報記録媒体の使用時には、前記対物光学素子に有限発散光束を入射させることができ、それにより前記対物光学素子を光軸方向に変位させるためのワーキングディスタンスの差を減少させることができ、前記光ピックアップ装置をコンパクト化できると共に、省電力化を図ることができる。
【手続補正４８】
【補正対象書類名】明細書
【補正対象項目名】００５４
【補正方法】変更
【補正の内容】
【００５４】
［３２］の光ピックアップ装置の対物光学素子は、前記第１の光源から出射された光束は、無限光束として前記対物光学素子に入射し、前記第２の光源から出射された光束は、有限光束として前記対物光学素子に入射することを特徴とする。
【手続補正４９】
【補正対象書類名】明細書
【補正対象項目名】００５５
【補正方法】変更
【補正の内容】
【００５５】
［３３］の光ピックアップ装置の対物光学素子は、前記対物光学素子の焦点距離ｆが１．０ｍｍ≦ｆ≦４．０ｍｍであるので、光ピックアップ装置に好適な対物光学素子を提供できる。
【手続補正５０】
【補正対象書類名】明細書
【補正対象項目名】００５６
【補正方法】変更
【補正の内容】
【００５６】
［３４］の光ピックアップ装置の対物光学素子は、前記対物光学素子の焦点距離ｆが１．５ｍｍ≦ｆ≦３．５ｍｍ、前記第１の光情報記録媒体の透明基板厚さｔ１は、前記第２の光情報記録媒体の透明基板厚さｔ２の半分であり（２×ｔ１≒ｔ２）、前記第１の光情報記録媒体の使用時の要求開口数がＮＡ１、前記第２の光情報記録媒体の使用時の要求開口数がＮＡ２である場合に、
０．５９≦ＮＡ１≦０．６８且つ０．４３≦ＮＡ２≦０．５８ （１８）
を満たすので、例えばＤＶＤやＣＤなどを使用できる互換性のある光ピックアップ装置に好適な対物光学素子を提供できる。
【手続補正５１】
【補正対象書類名】明細書
【補正対象項目名】００５７
【補正方法】変更
【補正の内容】
【００５７】
［３５］の光ピックアップ装置の対物光学素子は、画角１°におけるそれぞれのコマ収差がおのおの０．０５λｒｍｓ以下に抑えられたので、収差特性が良好な対物光学素子を提供できる。
【手続補正５２】
【補正対象書類名】明細書
【補正対象項目名】００５８
【補正方法】変更
【補正の内容】
【００５８】
［３６］の光ピックアップ装置の対物光学素子は、前記第１の光情報記録媒体用光源と前記第２の光情報記録媒体用光源とがユニット化された光源（例えば２レーザ１パッケージモジュール）を用いた光ピックアップ装置に使用されると、いずれかの光源が光軸からシフトしていることに起因するコマ収差の問題を解消もしくは緩和できる。
【手続補正５３】
【補正対象書類名】明細書
【補正対象項目名】００５９
【補正方法】変更
【補正の内容】
【００５９】
［３７］の光ピックアップ装置は、透明基板の厚さがｔ１である第１の光情報記録媒体に対して光束を照射することで情報の記録又は再生を行う波長λ１の第１の光源と、透明基板の厚さがｔ２（ｔ１＜ｔ２）である第２の光情報記録媒体に対して光束を照射することで情報の記録又は再生を行う波長λ２（λ１＜λ２）である第２の光源と、前記第１及び前記第２の光源から出射された光束を、前記第１及び前記第２の光情報記録媒体の透明基板を介して情報記録面に集光させる対物光学素子を含む集光光学系と、を有する光ピックアップ装置であって、前記対物光学素子は、前記第１又は前記第２の光源からの光束を集光する対物レンズと、前記光束に光学的作用を与える光学機能面とを有し、前記対物光学素子の光学機能面は、光軸を含み且つ前記第１の光情報記録媒体と前記第２の光情報記録媒体の両方に対して情報の記録及び／又は再生に用いられる共用領域と、該共用領域の外側に設けられ、主に前記第１の光情報記録媒体に対して情報の記録及び／又は再生に用いられる専用領域とを有し、前記対物光学素子は、前記第１の光情報記録媒体において、有効径と前記対物光学素子の焦点距離とから定められる前記第１の光情報記録媒体上のスポット径を形成するとともに、前記第１の光情報記録媒体の使用時において、正弦条件不満足量が最大となる場合が共用領域に存在し、前記第１の光情報記録媒体の使用時に画角１°で前記対物光学素子に斜入射する場合に発生するコマ収差をＣＯＭＡ１（λ１ｒｍｓ）、前記第２の光情報記録媒体の使用時に画角１°で前記対物光学素子に斜入射する場合に発生するコマ収差をＣＯＭＡ２（λ２ｒｍｓ）とすると、
０．５≦ＣＯＭＡ２／ＣＯＭＡ１≦１．０                       （１）
を満たすので［１］の発明と同様な作用効果を達成できる。
【手続補正５４】
【補正対象書類名】明細書
【補正対象項目名】００６０
【補正方法】変更
【補正の内容】
【００６０】
［３８］の光ピックアップ装置は、透明基板の厚さがｔ１である第１の光情報記録媒体に対して光束を照射することで情報の記録又は再生を行う波長λ１の第１の光源と、透明基板の厚さがｔ２（ｔ１＜ｔ２）である第２の光情報記録媒体に対して光束を照射することで情報の記録又は再生を行う波長λ２（λ１＜λ２）である第２の光源と、前記第１及び前記第２の光源から出射された光束を、前記第１及び前記第２の光情報記録媒体の透明基板を介して情報記録面に集光させる対物光学素子を含む集光光学系と、を有する光ピックアップ装置であって、前記対物光学素子は、前記第１又は前記第２の光源からの光束を集光する対物レンズと、前記光束に光学的作用を与える光学機能面とを有し、前記対物光学素子の光学機能面は、光軸を含み且つ前記第１の光情報記録媒体と前記第２の光情報記録媒体の両方に対して情報の記録及び／又は再生に用いられる共用領域と、該共用領域の外側に設けられ、主に前記第１の光情報記録媒体に対して情報の記録及び又は再生に用いられる専用領域とを有し、前記対物光学素子は、前記第１の光情報記録媒体において、有効径と前記対物光学素子の焦点距離とから定められる前記第１の光情報記録媒体上のスポット径を形成するとともに、光軸からの高さがｈの無限物体距離光線が前記対物光学素子から出射したときに、出射後における該光線と光軸とのなす角をＵで表し、且つ正弦条件不満足量をＳＣ（ｈ）＝ｈ／ｓｉｎＵ−ｆ（ｆはそれぞれの情報記録媒体使用時における前記対物光学素子の焦点距離）と定義した場合、前記共用領域において、前記第１の光情報記録媒体の使用時に最小となる正弦条件不満足量の符号と、前記第２の光情報記録媒体の使用時に最小となる正弦条件不満足量の符号とが、負であるので、［２］の発明と同様な作用効果を達成できる。
【手続補正５５】
【補正対象書類名】明細書
【補正対象項目名】００６１
【補正方法】変更
【補正の内容】
【００６１】
［３９］の光ピックアップ装置は、光軸からの高さがｈの無限物体距離光線が前記対物光学素子から出射したときに、出射後における該光線と光軸とのなす角をＵで表し、且つ正弦条件不満足量をＳＣ（ｈ）＝ｈ／ｓｉｎＵ−ｆ（ｆはそれぞれの情報記録媒体使用時における前記対物光学素子の焦点距離）と定義した場合、前記第１の光情報記録媒体の使用時における共用領域での正弦条件不満足量絶対値の最大値をＳＣ１ｍａｘ、前記第２の光情報記録媒体の使用時における共用領域での正弦条件不満足量絶対値の最大値をＳＣ２ｍａｘとすると、
０．００３ｍｍ≦ＳＣ１ｍａｘ≦０．０２０ｍｍ               （２）
０．０１０ｍｍ≦ＳＣ２ｍａｘ≦０．０４０ｍｍ               （３）
を満たすことを特徴とする。
【手続補正５６】
【補正対象書類名】明細書
【補正対象項目名】００６２
【補正方法】変更
【補正の内容】
【００６２】
［４０］の光ピックアップ装置は、前記第１の光情報記録媒体の使用時において、前記対物光学素子の有効径の最外周部を通過する光線の光軸からの高さをｈｍａｘとした場合、前記最外周光線の正弦条件不満足量ＳＣ１が、
│ＳＣ１（ｈｍａｘ）│≦０．０１０ｍｍ                     （４）
を満たすことを特徴とする。
【手続補正５７】
【補正対象書類名】明細書
【補正対象項目名】００６３
【補正方法】変更
【補正の内容】
【００６３】
［４１］の光ピックアップ装置は、光軸からの高さがｈの無限物体距離光線が前記対物光学素子から出射したときに、出射後における該光線と光軸とのなす角をＵで表し、且つ正弦条件不満足量をＳＣ（ｈ）＝ｈ／ｓｉｎＵ−ｆ（ｆはそれぞれの情報記録媒体使用時における前記対物光学素子の焦点距離）と定義した場合、前記第１の光情報記録媒体の使用時における、前記共用領域での正弦条件不満足量絶対値が最大値をとる正弦条件不満足量の符号は負であることを特徴とする。
【手続補正５８】
【補正対象書類名】明細書
【補正対象項目名】００６４
【補正方法】変更
【補正の内容】
【００６４】
［４２］の光ピックアップ装置は、光軸からの高さがｈの無限物体距離光線が前記対物光学素子から出射したときに、出射後における該光線と光軸とのなす角をＵで表し、且つ正弦条件不満足量をＳＣ（ｈ）＝ｈ／ｓｉｎＵ−ｆ（ｆはそれぞれの情報記録媒体使用時における前記対物光学素子の焦点距離）と定義した場合、前記第１の光情報記録媒体の使用時における、前記共用領域での正弦条件不満足量の最小値をＳＣ１Dmin、専用領域での正弦条件不満足量の最小値をＳＣ１Sminとすると、
１．２・ＳＣ１Dmin ≦ ＳＣ１Smin                          （５）
であることを特徴とする。
【手続補正５９】
【補正対象書類名】明細書
【補正対象項目名】００６５
【補正方法】変更
【補正の内容】
【００６５】
［４３］の光ピックアップ装置は、光軸からの高さがｈの無限物体距離光線が前記対物光学素子から出射したときに、出射後における該光線と光軸とのなす角をＵで表し、且つ正弦条件不満足量をＳＣ（ｈ）＝ｈ／ｓｉｎＵ−ｆ（ｆはそれぞれの情報記録媒体使用時における前記対物光学素子の焦点距離）と定義した場合、前記第１の光情報記録媒体の使用時における正弦条件不満足量が、前記共用領域から前記専用領域に切り替わる部分で、負（−）側に不連続となることを特徴とする。
【手続補正６０】
【補正対象書類名】明細書
【補正対象項目名】００６６
【補正方法】変更
【補正の内容】
【００６６】
［４４］の光ピックアップ装置は、光軸からの高さがｈの無限物体距離光線が前記対物光学素子から出射したときに、出射後における該光線と光軸とのなす角をＵで表し、且つ正弦条件不満足量をＳＣ（ｈ）＝ｈ／ｓｉｎＵ−ｆ（ｆはそれぞれの情報記録媒体使用時における前記対物光学素子の焦点距離）と定義した場合、前記第１の光情報記録媒体の使用時に、前記共用領域において正弦条件不満足量が最大となる正弦条件不満足量の符号は正であることを特徴とする。
【手続補正６１】
【補正対象書類名】明細書
【補正対象項目名】００６７
【補正方法】変更
【補正の内容】
【００６７】
［４５］の光ピックアップ装置は、前記第１の光情報記録媒体の使用時において、光軸からの高さがｈの無限物体距離光線が前記対物光学素子から出射したときに、出射後における該光線と光軸とのなす角をＵで表し、且つ正弦条件不満足量をＳＣ１（ｈ）＝ｈ／ｓｉｎＵ−ｆ（ｆは第１の光情報記録媒体使用時における前記対物光学素子の焦点距離）と定義した場合、前記専用領域の最内周部を通過する光線の正弦条件不満足量をＳＣ１out（ｈ0）、前記共用領域における正弦条件不満足量の最小値をＳＣ１Dminとすると、
１．２・ＳＣ１Dmin≦ＳＣ１out（ｈ0）                       （６）
であることを特徴とする。
【手続補正６２】
【補正対象書類名】明細書
【補正対象項目名】００６８
【補正方法】変更
【補正の内容】
【００６８】
［４６］の光ピックアップ装置は、前記第１の光情報記録媒体の使用時において、正弦条件不満足量の絶対値が最大となる場合が前記共用領域に存在し、前記第１の光情報記録媒体の使用時に画角１°で前記対物光学素子に斜入射する場合に発生するコマ収差をＣＯＭＡ１（λ１ｒｍｓ）、前記第２の光情報記録媒体の使用時に画角１°で前記対物光学素子に斜入射する場合に発生するコマ収差をＣＯＭＡ２（λ２ｒｍｓ）とすると、
０．５≦ＣＯＭＡ１／ＣＯＭＡ２≦１．０                     （７）
を満たすことを特徴とする。
【手続補正６３】
【補正対象書類名】明細書
【補正対象項目名】００６９
【補正方法】変更
【補正の内容】
【００６９】
［４７］の光ピックアップ装置は、透明基板の厚さがｔ１である第１の光情報記録媒体に対して光束を照射することで情報の記録又は再生を行う波長λ１の第１の光源と、透明基板の厚さがｔ２（ｔ１＜ｔ２）である第２の光情報記録媒体に対して光束を照射することで情報の記録又は再生を行う波長λ２（λ１＜λ２）である第２の光源と、前記第１及び前記第２の光源から出射された光束を、前記第１及び前記第２の光情報記録媒体の透明基板を介して情報記録面に集光させる対物光学素子を含む集光光学系と、を有する光ピックアップ装置であって、前記対物光学素子は、前記第１又は前記第２の光源からの光束を集光する対物レンズと、前記光束に光学的作用を与える光学機能面とを有し、前記対物光学素子の光学機能面は、光軸を含み且つ前記第１の光情報記録媒体と前記第２の光情報記録媒体の両方に対して情報の記録及び／又は再生に用いられる共用領域と、該共用領域の外側に設けられ、主に前記第１の光情報記録媒体に対して情報の記録及び／又は再生に用いられる専用領域とを有し、前記対物光学素子は、前記第１の光情報記録媒体において、有効径と前記対物光学素子の焦点距離とから定められる前記第１の光情報記録媒体上のスポット径を形成するとともに、光軸からの高さを縦軸（ｘ）にとり、前記第２の光情報記録媒体の使用時における正弦条件不満足量を横軸（ｙ）にとり、前記共用領域において、光軸からの高さと前記正弦条件不満足量との関係を示す曲線についての微分値（ｄｙ／ｄｘ）を求めると、前記第２の光情報記録媒体の使用時において、前記対物光学素子の有効径の最外周部を通過する光線の光軸からの高さをｈCDNAとした場合、
ｈ＜０．６ｈCDNAのとき（ｄｙ／ｄｘ）≦０               （８）
であり且つ、光軸から第１の高さにおいてその微分値を傾きとする直線をひいたときに、前記第１の高さより光軸から遠い側で、前記曲線は前記直線より正側に存在する領域を有するので、請求項１の発明と同様な作用効果を達成できる。
【手続補正６４】
【補正対象書類名】明細書
【補正対象項目名】００７０
【補正方法】変更
【補正の内容】
【００７０】
［４８］の光ピックアップ装置は、前記第１の光情報記録媒体の使用時において、前記共用領域における前記正弦条件不満足量を示す曲線は、光軸からの高さを縦軸（ｘ）にとり、前記第２の光情報記録媒体の使用時における正弦条件不満足量を横軸（ｙ）にとり、光軸からの高さと前記正弦条件不満足量との関係を示す曲線についての２階微分値（ｄ2ｙ／ｄｘ2）を求めると、前記共用領域の最外周部を通過する光線の光軸からの高さをｈ0として、
０．５ｈ0＜ｈ＜０．８ｈ0のとき（ｄ2ｙ／ｄｘ2）＞０     （８’）
であることを特徴とする。
【手続補正６５】
【補正対象書類名】明細書
【補正対象項目名】００７１
【補正方法】変更
【補正の内容】
【００７１】
［４９］の光ピックアップ装置は、光軸からの高さを縦軸（ｘ）にとり、前記第１の光情報記録媒体の使用時における正弦条件不満足量を横軸（ｙ）にとり、前記専用領域において、光軸からの高さと前記正弦条件不満足量との関係を示す曲線についての微分値（ｄｙ／ｄｘ）を求めると、光軸からある高さにおいてその微分値を傾きとする直線をひいたときに、前記ある高さより光軸から遠い側で、前記曲線は前記直線より正側に存在する領域を有することを特徴とする。
【手続補正６６】
【補正対象書類名】明細書
【補正対象項目名】００７２
【補正方法】変更
【補正の内容】
【００７２】
［５０］の光ピックアップ装置は、前記第１の光情報記録媒体の使用時において、光軸からの高さがｈの無限物体距離光線が前記対物光学素子から出射したときに、出射後における該光線と光軸とのなす角をＵで表し、且つ正弦条件不満足量をＳＣ１（ｈ）＝ｈ／ｓｉｎＵ−ｆ（ｆは第１の光情報記録媒体使用時における前記対物光学素子の焦点距離）と定義した場合、前記専用領域の正弦条件不満足量は、前記光学素子ヘの入射光線の光軸からの高さが増大するにつれて、単調に増加することを特徴とする。
【手続補正６７】
【補正対象書類名】明細書
【補正対象項目名】００７３
【補正方法】変更
【補正の内容】
【００７３】
［５１］の光ピックアップ装置は、光軸からの高さがｈの無限物体距離光線が前記対物光学素子から出射したときに、出射後における該光線と光軸とのなす角をＵで表し、且つ正弦条件不満足量をＳＣ（ｈ）＝ｈ／ｓｉｎＵ−ｆ（ｆはそれぞれの情報記録媒体使用時における前記対物光学素子の焦点距離）と定義した場合、前記共用領域において、前記第１の光情報記録媒体の使用時に最小となる正弦条件不満足量の符号と、前記第２の光情報記録媒体の使用時に最小となる正弦条件不満足量の符号とが、負であることを特徴とする。
【手続補正６８】
【補正対象書類名】明細書
【補正対象項目名】００７４
【補正方法】変更
【補正の内容】
【００７４】
［５２］の光ピックアップ装置は、光軸からの高さがｈの無限物体距離光線が前記対物光学素子から出射したときに、出射後における該光線と光軸とのなす角をＵで表し、且つ正弦条件不満足量をＳＣ（ｈ）＝ｈ／ｓｉｎＵ−ｆ（ｆはそれぞれの情報記録媒体使用時における前記対物光学素子の焦点距離）と定義した場合、前記第１の光情報記録媒体の使用時における前記共用領域での正弦条件不満足量絶対値の最大値をＳＣ１ｍａｘ、前記第２の光情報記録媒体の使用時における前記共用領域での正弦条件不満足量絶対値の最大値をＳＣ２ｍａｘとすると、  ０．００３ｍｍ≦ＳＣ１ｍａｘ≦０．０２０ｍｍ           （９）
０．０１０ｍｍ≦ＳＣ２ｍａｘ≦０．０４０ｍｍ           （１０）
を満たすことを特徴とする。
【手続補正６９】
【補正対象書類名】明細書
【補正対象項目名】００７５
【補正方法】変更
【補正の内容】
【００７５】
［５３］の光ピックアップ装置は、前記第１の光情報記録媒体の使用時において、前記対物光学素子の有効径の最外周部を通過する光線の光軸からの高さをｈｍａｘとした場合、前記最外周光線の正弦条件不満足量ＳＣ１が、
│ＳＣ１（ｈｍａｘ）│≦０．０１０ｍｍ                 （１１）
を満たすことを特徴とする。
【手続補正７０】
【補正対象書類名】明細書
【補正対象項目名】００７６
【補正方法】変更
【補正の内容】
【００７６】
［５４］の光ピックアップ装置は、透明基板の厚さがｔ１である第１の光情報記録媒体に対して光束を照射することで情報の記録又は再生を行う波長λ１の第１の光源と、透明基板の厚さがｔ２（ｔ１＜ｔ２）である第２の光情報記録媒体に対して光束を照射することで情報の記録又は再生を行う波長λ２（λ１＜λ２）である第２の光源と、前記第１及び前記第２の光源から出射された光束を、前記第１及び前記第２の光情報記録媒体の透明基板を介して情報記録面に集光させる対物光学素子を含む集光光学系と、を有する光ピックアップ装置であって、前記対物光学素子は、前記第１又は前記第２の光源からの光束を集光する対物レンズと、前記光束に光学的作用を与える光学機能面とを有し、前記対物光学素子の光学機能面は、光軸を含み且つ前記第１の光情報記録媒体と前記第２の光情報記録媒体の両方に対して情報の記録及び／又は再生に用いられる共用領域と、該共用領域の外側に設けられ、主に前記第１の光情報記録媒体に対して情報の記録及び／又は再生に用いられる専用領域とを有し、前記対物光学素子は、前記第１の光情報記録媒体において、有効径と前記対物光学素子の焦点距離とから定められる前記第１の光情報記録媒体上のスポット径を形成するとともに、前記第１の光情報記録媒体の使用時において、光軸からの高さがｈの無限物体距離光線が前記対物光学素子から出射したときに、出射後における該光線と光軸とのなす角をＵで表し、且つ正弦条件不満足量をＳＣ１（ｈ）＝ｈ／ｓｉｎＵ−ｆ（ｆは第１の光情報記録媒体使用時における前記対物光学素子の焦点距離）と定義した場合、前記専用領域の最内周部を通過する光線の、光軸からの高さをｈ0、正弦条件不満足量をＳＣ１out（ｈ0）、前記対物光学素子の有効径の最外周部を通過する光線の光軸からの高さをｈｍａｘとすると、
ＳＣ１（ｈ0／２）≦ＳＣ１out（ｈ0）                   （１２）
ＳＣ１（ｈ0／２）≦０                                 （１３）
ＳＣ１（ｈｍａｘ）≧０                                 （１４）
を満たすので、［１８］の発明と同様な作用効果を達成できる。
【手続補正７１】
【補正対象書類名】明細書
【補正対象項目名】００７７
【補正方法】変更
【補正の内容】
【００７７】
［５５］の光ピックアップ装置は、前記第１の光情報記録媒体の使用時において、光軸からの高さがｈの無限物体距離光線が前記対物光学素子から出射したときに、出射後における該光線と光軸とのなす角をＵで表し、且つ正弦条件不満足量をＳＣ１（ｈ）＝ｈ／ｓｉｎＵ−ｆ（ｆは第１の光情報記録媒体使用時における前記対物光学素子の焦点距離）と定義した場合、前記共用領域の最外周部を通過する光線の正弦条件不満足量の符号が正であることを特徴とする。
【手続補正７２】
【補正対象書類名】明細書
【補正対象項目名】００７８
【補正方法】変更
【補正の内容】
【００７８】
［５６］の光ピックアップ装置は、前記対物光学素子の光学機能面上において、光軸を回転中心とした回折構造と、該光学機能面上の光情報記録媒体側の面において、光軸を含み且つ前記第１の光情報記録媒体と前記第２の光情報記録媒体の両方に対して情報の記録及び／又は再生に用いられる共用領域と、該共用領域の外側に設けられ、主に前記第１の光情報記録媒体に対して情報の記録及び／又は再生に用いられる専用領域とを有し、前記共用領城と前記専用領域に隣接し、光軸にほぼ平行でかつ光軸に対し外側を向いた段差部が設けられていることを特徴とする。
【手続補正７３】
【補正対象書類名】明細書
【補正対象項目名】００７９
【補正方法】変更
【補正の内容】
【００７９】
［５７］の光ピックアップ装置において、前記段差部の段差量ｄ２は、
０．０００ｍｍ＜ｄ２≦０．００４ｍｍ               （１５）
であることを特徴とする。
【手続補正７４】
【補正対象書類名】明細書
【補正対象項目名】００８０
【補正方法】変更
【補正の内容】
【００８０】
［５８］の光ピックアップ装置は、透明基板の厚さがｔ１である第１の光情報記録媒体に対して光束を照射することで情報の記録又は再生を行う波長λ１の第１の光源と、透明基板の厚さがｔ２（ｔ１＜ｔ２）である第２の光情報記録媒体に対して光束を照射することで情報の記録又は再生を行う波長λ２（λ１＜λ２）である第２の光源と、前記第１及び前記第２の光源から出射された光束を、前記第１及び前記第２の光情報記録媒体の透明基板を介して情報記録面に集光させる対物光学素子を含む集光光学系と、を有する光ピックアップ装置であって、前記対物光学素子は、前記第１又は前記第２の光源からの光束を集光する対物レンズと、前記光束に光学的作用を与える光学機能面とを有し、前記対物光学素子の光源側の前記光学機能面には、光軸を回転中心とした回折構造が設けられ、前記対物光学素子の光情報記録媒体側の光学機能面には、光軸を含み且つ前記第１の光情報記録媒体と前記第２の光情報記録媒体の両方に対して情報の記録及び／又は再生に用いられる共用領域と、該共用領域の外側に設けられ、主に前記第１の光情報記録媒体に対して情報の記録及び／又は再生に用いられる専用領域と、前記共用領域と前記専用領域に隣接し、光軸にほぼ平行でかつ光軸に対して外側を向いた段差部とが設けられており、前記対物光学素子は、前記第１の光情報記録媒体において、有効径と前記対物光学素子の焦点距離とから定められる前記第１の光情報記録媒体上のスポット径を形成するので、［２２］の発明と同様な作用効果を達成できる。
【手続補正７５】
【補正対象書類名】明細書
【補正対象項目名】００８１
【補正方法】変更
【補正の内容】
【００８１】
［５９］の光ピックアップ装置は、前記対物光学素子の前記共用領域における前記段差部との隣接部と、前記専用領域における前記段差部との隣接部とで、局所曲率Ｒ（ｈ）の符号が異なることを特徴とする。
【手続補正７６】
【補正対象書類名】明細書
【補正対象項目名】００８２
【補正方法】変更
【補正の内容】
【００８２】
［６０］の光ピックアップ装置は、前記共用領域における前記段差部との隣接部と、前記専用領域における前記段差部との隣接部とで、局所曲率Ｒ（ｈ）の符号が正から負に反転することを特徴とする。
【手続補正７７】
【補正対象書類名】明細書
【補正対象項目名】００８３
【補正方法】変更
【補正の内容】
【００８３】
［６１］の光ピックアップ装置は、前記対物光学素子の光源側の光学機能面には、光軸を含み且つ前記第１の光情報記録媒体と前記第２の光情報記録媒体の両方に対して情報の記録及び／又は再生に用いられる共用領域と、該共用領域の外側に設けられ、主に前記第１の光情報記録媒体に対して情報の記録及び／又は再生に用いられる専用領域と、前記共用領域と前記専用領域に隣接し、光軸にほぼ平行でかつ光軸に対して内側を向いた段差部が設けられていることを特徴とする。
【手続補正７８】
【補正対象書類名】明細書
【補正対象項目名】００８４
【補正方法】変更
【補正の内容】
【００８４】
［６２］の光ピックアップ装置において、前記光情報記録媒体側の光学機能面における段差部の段差量ｄ２は、
０．０００ｍｍ＜ｄ２＜０．００４ｍｍ                     （１６）
であることを特徴とする。
【手続補正７９】
【補正対象書類名】明細書
【補正対象項目名】００８５
【補正方法】変更
【補正の内容】
【００８５】
［６３］の光ピックアップ装置において、前記光源側の光学機能面における段差部の段差量ｄ１は、
０．０００ｍｍ＜ｄ１＜０．００４ｍｍ                     （１７）
であることを特徴とする。
【手続補正８０】
【補正対象書類名】明細書
【補正対象項目名】００８６
【補正方法】変更
【補正の内容】
【００８６】
［６４］の光ピックアップ装置は、前記対物光学素子における光源側の共用領域に、光軸を回転中心とした回折構造が形成されたことを特徴とする。
【手続補正８１】
【補正対象書類名】明細書
【補正対象項目名】００８７
【補正方法】変更
【補正の内容】
【００８７】
［６５］の光ピックアップ装置は、前記第１の光情報記録媒体及び前記第２の光情報記録媒体の使用時において、それぞれ前記対物光学素子単体での結像倍率がほぼ無限倍率であることを特徴とする。
【手続補正８２】
【補正対象書類名】明細書
【補正対象項目名】００８８
【補正方法】変更
【補正の内容】
【００８８】
［６６］の光ピックアップ装置は、前記光源から前記光情報記録媒体までの光学系の倍率ｍが、第１の光情報記録媒体及び第２の光情報記録媒体の使用時において、それぞれ−１／５≦ｍ≦−１／１０であることを特徴とする。
【手続補正８３】
【補正対象書類名】明細書
【補正対象項目名】００８９
【補正方法】変更
【補正の内容】
【００８９】
［６７］の光ピックアップ装置は、前記第１の光情報記録媒体の使用時における前記対物光学素子単体での結像倍率は、前記第２の光情報記録媒体の使用時における前記対物光学素子単体での結像倍率と異なることを特徴とする。
【手続補正８４】
【補正対象書類名】明細書
【補正対象項目名】００９０
【補正方法】変更
【補正の内容】
【００９０】
［６８］の光ピックアップ装置は、前記第１の光源から出射された光束は、無限光束として前記対物光学素子に入射し、前記第２の光源から出射された光束は、有限光束として前記対物光学素子に入射することを特徴とする。
【手続補正８５】
【補正対象書類名】明細書
【補正対象項目名】００９１
【補正方法】変更
【補正の内容】
【００９１】
［６９］の光ピックアップ装置は、前記対物光学素子の焦点距離ｆが１．０ｍｍ≦ｆ≦４．０ｍｍであることを特徴とする。
【手続補正８６】
【補正対象書類名】明細書
【補正対象項目名】００９２
【補正方法】変更
【補正の内容】
【００９２】
［７０］の光ピックアップ装置は、前記対物光学素子の焦点距離ｆが１．５ｍｍ≦ｆ≦３．５ｍｍ、前記第１の光情報記録媒体の透明基板厚さｔ１は、前記第２の光情報記録媒体の透明基板厚さｔ２の半分であり（２×ｔ１≒ｔ２）、前記第１の光情報記録媒体の使用時の要求開口数がＮＡ１、前記第２の光情報記録媒体の使用時の要求開口数がＮＡ２である場合に、
０．５９≦ＮＡ１≦０．６８且つ０．４３≦ＮＡ２≦０．５８   （１８）
を満たすことを特徴とする。
【手続補正８７】
【補正対象書類名】明細書
【補正対象項目名】００９３
【補正方法】変更
【補正の内容】
【００９３】
［７１］の光ピックアップ装置は、画角１°におけるそれぞれのコマ収差がおのおの０．０５λｒｍｓ以下に抑えられたことを特徴とする。
【手続補正８８】
【補正対象書類名】明細書
【補正対象項目名】００９４
【補正方法】変更
【補正の内容】
【００９４】
［７２］の光ピックアップ装置は、前記第１の光情報記録媒体用光源と前記第２の光情報記録媒体用光源とがユニット化された光源を用いた光ピックアップ装置であることを特徴とする。
【手続補正８９】
【補正対象書類名】明細書
【補正対象項目名】００９５
【補正方法】変更
【補正の内容】
【００９５】
［７３］の光情報記録再生装置は、透明基板の厚さがｔ１である第１の光情報記録媒体に対して光束を照射することで情報の記録又は再生を行う波長λ１の第１の光源と、透明基板の厚さがｔ２（ｔ１＜ｔ２）である第２の光情報記録媒体に対して光束を照射することで情報の記録又は再生を行う波長λ２（λ１＜λ２）である第２の光源と、前記第１及び前記第２の光源から出射された光束を、前記第１及び前記第２の光情報記録媒体の透明基板を介して情報記録面に集光させる対物光学素子を含む集光光学系と、を有する光情報記録再生装置であって、前記対物光学素子は、前記第１又は前記第２の光源からの光束を集光する対物レンズと、前記光束に光学的作用を与える光学機能面とを有し、前記対物光学素子の光学機能面は、光軸を含み且つ前記第１の光情報記録媒体と前記第２の光情報記録媒体の両方に対して情報の記録及び／又は再生に用いられる共用領域と、該共用領域の外側に設けられ、主に前記第１の光情報記録媒体に対して情報の記録及び／又は再生に用いられる専用領域とを有し、前記対物光学素子は、前記第１の光情報記録媒体において、有効径と前記対物光学素子の焦点距離とから定められる前記第１の光情報記録媒体上のスポット径を形成するとともに、前記第１の光情報記録媒体の使用時において、正弦条件不満足量が最大となる場合が共用領域に存在し、前記第１の光情報記録媒体の使用時に画角１°で前記対物光学素子に斜入射する場合に発生するコマ収差をＣＯＭＡ１（λ１ｒｍｓ）、前記第２の光情報記録媒体の使用時に画角１°で前記対物光学素子に斜入射する場合に発生するコマ収差をＣＯＭＡ２（λ２ｒｍｓ）とすると、
０．５≦ＣＯＭＡ２／ＣＯＭＡ１≦１．０                     （１）
を満たすので、［１］の発明と同様な作用効果を達成できる。
【手続補正９０】
【補正対象書類名】明細書
【補正対象項目名】００９６
【補正方法】変更
【補正の内容】
【００９６】
［７４］の光情報記録再生装置は、透明基板の厚さがｔ１である第１の光情報記録媒体に対して光束を照射することで情報の記録又は再生を行う波長λ１の第１の光源と、透明基板の厚さがｔ２（ｔ１＜ｔ２）である第２の光情報記録媒体に対して光束を照射することで情報の記録又は再生を行う波長λ２（λ１＜λ２）である第２の光源と、前記第１及び前記第２の光源から出射された光束を、前記第１及び前記第２の光情報記録媒体の透明基板を介して情報記録面に集光させる対物光学素子を含む集光光学系と、を有する光情報記録再生装置であって、前記対物光学素子は、前記第１又は前記第２の光源からの光束を集光する対物レンズと、前記光束に光学的作用を与える光学機能面とを有し、前記対物光学素子の光学機能面は、光軸を含み且つ前記第１の光情報記録媒体と前記第２の光情報記録媒体の両方に対して情報の記録及び／又は再生に用いられる共用領域と、該共用領域の外側に設けられ、主に前記第１の光情報記録媒体に対して情報の記録及び又は再生に用いられる専用領域とを有し、前記対物光学素子は、前記第１の光情報記録媒体において、有効径と前記対物光学素子の焦点距離とから定められる前記第１の光情報記録媒体上のスポット径を形成するとともに、光軸からの高さがｈの無限物体距離光線が前記対物光学素子から出射したときに、出射後における該光線と光軸とのなす角をＵで表し、且つ正弦条件不満足量をＳＣ（ｈ）＝ｈ／ｓｉｎＵ−ｆ（ｆはそれぞれの情報記録媒体使用時における前記対物光学素子の焦点距離）と定義した場合、前記共用領域において、前記第１の光情報記録媒体の使用時に最小となる正弦条件不満足量の符号と、前記第２の光情報記録媒体の使用時に最小となる正弦条件不満足量の符号とが、負であるので、［２］の発明と同様な作用効果を達成できる。
【手続補正９１】
【補正対象書類名】明細書
【補正対象項目名】００９７
【補正方法】変更
【補正の内容】
【００９７】
［７５］の光情報記録再生装置は、光軸からの高さがｈの無限物体距離光線が前記対物光学素子から出射したときに、出射後における該光線と光軸とのなす角をＵで表し、且つ正弦条件不満足量をＳＣ（ｈ）＝ｈ／ｓｉｎＵ−ｆ（ｆはそれぞれの情報記録媒体使用時における前記対物光学素子の焦点距離）と定義した場合、前記第１の光情報記録媒体の使用時における共用領域での正弦条件不満足量絶対値の最大値をＳＣ１ｍａｘ、前記第２の光情報記録媒体の使用時における共用領域での正弦条件不満足量絶対値の最大値をＳＣ２ｍａｘとすると、
０．００３ｍｍ≦ＳＣ１ｍａｘ≦０．０２０ｍｍ               （２）
０．０１０ｍｍ≦ＳＣ２ｍａｘ≦０．０４０ｍｍ               （３）
を満たすことを特徴とする。
【手続補正９２】
【補正対象書類名】明細書
【補正対象項目名】００９８
【補正方法】変更
【補正の内容】
【００９８】
［７６］の光情報記録再生装置は、前記第１の光情報記録媒体の使用時において、前記対物光学素子の有効径の最外周部を通過する光線の光軸からの高さをｈｍａｘとした場合、前記最外周光線の正弦条件不満足量ＳＣ１が、
│ＳＣ１（ｈｍａｘ）│≦０．０１０ｍｍ                     （４）
を満たすことを特徴とする。
【手続補正９３】
【補正対象書類名】明細書
【補正対象項目名】００９９
【補正方法】変更
【補正の内容】
【００９９】
［７７］の光情報記録再生装置は、光軸からの高さがｈの無限物体距離光線が前記対物光学素子から出射したときに、出射後における該光線と光軸とのなす角をＵで表し、且つ正弦条件不満足量をＳＣ（ｈ）＝ｈ／ｓｉｎＵ−ｆ（ｆはそれぞれの情報記録媒体使用時における前記対物光学素子の焦点距離）と定義した場合、前記第１の光情報記録媒体の使用時における、前記共用領域での正弦条件不満足量絶対値が最大値をとる正弦条件不満足量の符号は負であることを特徴とする。
【手続補正９４】
【補正対象書類名】明細書
【補正対象項目名】０１００
【補正方法】変更
【補正の内容】
【０１００】
［７８］の光情報記録再生装置は、光軸からの高さがｈの無限物体距離光線が前記対物光学素子から出射したときに、出射後における該光線と光軸とのなす角をＵで表し、且つ正弦条件不満足量をＳＣ（ｈ）＝ｈ／ｓｉｎＵ−ｆ（ｆはそれぞれの情報記録媒体使用時における前記対物光学素子の焦点距離）と定義した場合、前記第１の光情報記録媒体の使用時における、前記共用領域での正弦条件不満足量の最小値をＳＣ１Dmin、専用領域での正弦条件不満足量の最小値をＳＣ１Sminとすると、
１．２・ＳＣ１Dmin ≦ ＳＣ１Smin                        （５）
であることを特徴とする。
【手続補正９５】
【補正対象書類名】明細書
【補正対象項目名】０１０１
【補正方法】変更
【補正の内容】
【０１０１】
［７９］の光情報記録再生装置は、光軸からの高さがｈの無限物体距離光線が前記対物光学素子から出射したときに、出射後における該光線と光軸とのなす角をＵで表し、且つ正弦条件不満足量をＳＣ（ｈ）＝ｈ／ｓｉｎＵ−ｆ（ｆはそれぞれの情報記録媒体使用時における前記対物光学素子の焦点距離）と定義した場合、前記第１の光情報記録媒体の使用時における正弦条件不満足量が、前記共用領域から前記専用領域に切り替わる部分で、負（−）側に不連続となることを特徴とする。
【手続補正９６】
【補正対象書類名】明細書
【補正対象項目名】０１０２
【補正方法】変更
【補正の内容】
【０１０２】
［８０］の光情報記録再生装置は、光軸からの高さがｈの無限物体距離光線が前記対物光学素子から出射したときに、出射後における該光線と光軸とのなす角をＵで表し、且つ正弦条件不満足量をＳＣ（ｈ）＝ｈ／ｓｉｎＵ−ｆ（ｆはそれぞれの情報記録媒体使用時における前記対物光学素子の焦点距離）と定義した場合、前記第１の光情報記録媒体の使用時に、前記共用領域において正弦条件不満足量が最大となる正弦条件不満足量の符号は正であることを特徴とする。
【手続補正９７】
【補正対象書類名】明細書
【補正対象項目名】０１０３
【補正方法】変更
【補正の内容】
【０１０３】
［８１］の光情報記録再生装置は、前記第１の光情報記録媒体の使用時において、光軸からの高さがｈの無限物体距離光線が前記対物光学素子から出射したときに、出射後における該光線と光軸とのなす角をＵで表し、且つ正弦条件不満足量をＳＣ１（ｈ）＝ｈ／ｓｉｎＵ−ｆ（ｆは第１の光情報記録媒体使用時における前記対物光学素子の焦点距離）と定義した場合、前記専用領域の最内周部を通過する光線の正弦条件不満足量をＳＣ１out（ｈ0）、前記共用領域における正弦条件不満足量の最小値をＳＣ１Dminとすると、
１．２・ＳＣ１Dmin≦ＳＣ１out（ｈ0）                       （６）
であることを特徴とする。
【手続補正９８】
【補正対象書類名】明細書
【補正対象項目名】０１０４
【補正方法】変更
【補正の内容】
【０１０４】
［８２］の光情報記録再生装置は、前記第１の光情報記録媒体の使用時において、正弦条件不満足量の絶対値が最大となる場合が前記共用領域に存在し、前記第１の光情報記録媒体の使用時に画角１°で前記対物光学素子に斜入射する場合に発生するコマ収差をＣＯＭＡ１（λ１ｒｍｓ）、前記第２の光情報記録媒体の使用時に画角１°で前記対物光学素子に斜入射する場合に発生するコマ収差をＣＯＭＡ２（λ２ｒｍｓ）とすると、
０．５≦ＣＯＭＡ１／ＣＯＭＡ２≦１．０                     （７）
を満たすことを特徴とする。
【手続補正９９】
【補正対象書類名】明細書
【補正対象項目名】０１０５
【補正方法】変更
【補正の内容】
【０１０５】
［８３］の光情報記録再生装置は、透明基板の厚さがｔ１である第１の光情報記録媒体に対して光束を照射することで情報の記録又は再生を行う波長λ１の第１の光源と、透明基板の厚さがｔ２（ｔ１＜ｔ２）である第２の光情報記録媒体に対して光束を照射することで情報の記録又は再生を行う波長λ２（λ１＜λ２）である第２の光源と、前記第１及び前記第２の光源から出射された光束を、前記第１及び前記第２の光情報記録媒体の透明基板を介して情報記録面に集光させる対物光学素子を含む集光光学系と、を有する光情報記録再生装置であって、前記対物光学素子は、前記第１又は前記第２の光源からの光束を集光する対物レンズと、前記光束に光学的作用を与える光学機能面とを有し、前記対物光学素子の光学機能面は、光軸を含み且つ前記第１の光情報記録媒体と前記第２の光情報記録媒体の両方に対して情報の記録及び／又は再生に用いられる共用領域と、該共用領域の外側に設けられ、主に前記第１の光情報記録媒体に対して情報の記録及び／又は再生に用いられる専用領域とを有し、前記対物光学素子は、前記第１の光情報記録媒体において、有効径と前記対物光学素子の焦点距離とから定められる前記第１の光情報記録媒体上のスポット径を形成するとともに、光軸からの高さを縦軸（ｘ）にとり、前記第２の光情報記録媒体の使用時における正弦条件不満足量を横軸（ｙ）にとり、前記共用領域において、光軸からの高さと前記正弦条件不満足量との関係を示す曲線についての微分値（ｄｙ／ｄｘ）を求めると、前記第２の光情報記録媒体の使用時において、前記対物光学素子の有効径の最外周部を通過する光線の光軸からの高さをｈCDNAとした場合、
ｈ＜０．６ｈCDNAのとき（ｄｙ／ｄｘ）≦０               （８）
であり且つ、光軸から第１の高さにおいてその微分値を傾きとする直線をひいたときに、前記第１の高さより光軸から遠い側で、前記曲線は前記直線より正側に存在する領域を有するので、請求項１の発明と同様な作用効果を達成できる。
【手続補正１００】
【補正対象書類名】明細書
【補正対象項目名】０１０６
【補正方法】変更
【補正の内容】
【０１０６】
［８４］の光情報記録再生装置は、前記第１の光情報記録媒体の使用時において、前記共用領域における前記正弦条件不満足量を示す曲線は、光軸からの高さを縦軸（ｘ）にとり、前記第２の光情報記録媒体の使用時における正弦条件不満足量を横軸（ｙ）にとり、光軸からの高さと前記正弦条件不満足量との関係を示す曲線についての２階微分値（ｄ2ｙ／ｄｘ2）を求めると、前記共用領域の最外周部を通過する光線の光軸からの高さをｈ０として、
０．５ｈ0＜ｈ＜０．８ｈ0のとき（ｄ2ｙ／ｄｘ2）＞０       （８’）
であることを特徴とする。
【手続補正１０１】
【補正対象書類名】明細書
【補正対象項目名】０１０７
【補正方法】変更
【補正の内容】
【０１０７】
［８５］の光情報記録再生装置は、光軸からの高さを縦軸（ｘ）にとり、前記第１の光情報記録媒体の使用時における正弦条件不満足量を横軸（ｙ）にとり、前記専用領域において、光軸からの高さと前記正弦条件不満足量との関係を示す曲線についての微分値（ｄｙ／ｄｘ）を求めると、光軸からある高さにおいてその微分値を傾きとする直線をひいたときに、前記ある高さより光軸から遠い側で、前記曲線は前記直線より正側に存在する領域を有することを特徴とする。
【手続補正１０２】
【補正対象書類名】明細書
【補正対象項目名】０１０８
【補正方法】変更
【補正の内容】
【０１０８】
［８６］の光情報記録再生装置は、前記第１の光情報記録媒体の使用時において、光軸からの高さがｈの無限物体距離光線が前記対物光学素子から出射したときに、出射後における該光線と光軸とのなす角をＵで表し、且つ正弦条件不満足量をＳＣ１（ｈ）＝ｈ／ｓｉｎＵ−ｆ（ｆは第１の光情報記録媒体使用時における前記対物光学素子の焦点距離）と定義した場合、前記専用領域の正弦条件不満足量は、前記光学素子ヘの入射光線の光軸からの高さが増大するにつれて、単調に増加することを特徴とする。
【手続補正１０３】
【補正対象書類名】明細書
【補正対象項目名】０１０９
【補正方法】変更
【補正の内容】
【０１０９】
［８７］の光情報記録再生装置は、光軸からの高さがｈの無限物体距離光線が前記対物光学素子から出射したときに、出射後における該光線と光軸とのなす角をＵで表し、且つ正弦条件不満足量をＳＣ（ｈ）＝ｈ／ｓｉｎＵ−ｆ（ｆはそれぞれの情報記録媒体使用時における前記対物光学素子の焦点距離）と定義した場合、前記共用領域において、前記第１の光情報記録媒体の使用時に最小となる正弦条件不満足量の符号と、前記第２の光情報記録媒体の使用時に最小となる正弦条件不満足量の符号とが、負であることを特徴とする。
【手続補正１０４】
【補正対象書類名】明細書
【補正対象項目名】０１１０
【補正方法】変更
【補正の内容】
【０１１０】
［８８］の光情報記録再生装置は、光軸からの高さがｈの無限物体距離光線が前記対物光学素子から出射したときに、出射後における該光線と光軸とのなす角をＵで表し、且つ正弦条件不満足量をＳＣ（ｈ）＝ｈ／ｓｉｎＵ−ｆ（ｆはそれぞれの情報記録媒体使用時における前記対物光学素子の焦点距離）と定義した場合、前記第１の光情報記録媒体の使用時における前記共用領域での正弦条件不満足量絶対値の最大値をＳＣ１ｍａｘ、前記第２の光情報記録媒体の使用時における前記共用領域での正弦条件不満足量絶対値の最大値をＳＣ２ｍａｘとすると、  ０．００３ｍｍ≦ＳＣ１ｍａｘ≦０．０２０ｍｍ             （９）
０．０１０ｍｍ≦ＳＣ２ｍａｘ≦０．０４０ｍｍ             （１０）
を満たすことを特徴とする。
【手続補正１０５】
【補正対象書類名】明細書
【補正対象項目名】０１１１
【補正方法】変更
【補正の内容】
【０１１１】
［８９］の光情報記録再生装置は、前記第１の光情報記録媒体の使用時において、前記対物光学素子の有効径の最外周部を通過する光線の光軸からの高さをｈｍａｘとした場合、前記最外周光線の正弦条件不満足量ＳＣ１が、
│ＳＣ１（ｈｍａｘ）│≦０．０１０ｍｍ                   （１１）
を満たすことを特徴とする。
【手続補正１０６】
【補正対象書類名】明細書
【補正対象項目名】０１１２
【補正方法】変更
【補正の内容】
【０１１２】
［９０］の光情報記録再生装置は、透明基板の厚さがｔ１である第１の光情報記録媒体に対して光束を照射することで情報の記録又は再生を行う波長λ１の第１の光源と、透明基板の厚さがｔ２（ｔ１＜ｔ２）である第２の光情報記録媒体に対して光束を照射することで情報の記録又は再生を行う波長λ２（λ１＜λ２）である第２の光源と、前記第１及び前記第２の光源から出射された光束を、前記第１及び前記第２の光情報記録媒体の透明基板を介して情報記録面に集光させる対物光学素子を含む集光光学系と、を有する光情報記録再生装置であって、前記対物光学素子は、前記第１又は前記第２の光源からの光束を集光する対物レンズと、前記光束に光学的作用を与える光学機能面とを有し、前記対物光学素子の光学機能面は、光軸を含み且つ前記第１の光情報記録媒体と前記第２の光情報記録媒体の両方に対して情報の記録及び／又は再生に用いられる共用領域と、該共用領域の外側に設けられ、主に前記第１の光情報記録媒体に対して情報の記録及び／又は再生に用いられる専用領域とを有し、前記対物光学素子は、前記第１の光情報記録媒体において、有効径と前記対物光学素子の焦点距離とから定められる前記第１の光情報記録媒体上のスポット径を形成するとともに、前記第１の光情報記録媒体の使用時において、光軸からの高さがｈの無限物体距離光線が前記対物光学素子から出射したときに、出射後における該光線と光軸とのなす角をＵで表し、且つ正弦条件不満足量をＳＣ１（ｈ）＝ｈ／ｓｉｎＵ−ｆ（ｆは第１の光情報記録媒体使用時における前記対物光学素子の焦点距離）と定義した場合、前記専用領域の最内周部を通過する光線の、光軸からの高さをｈ0、正弦条件不満足量をＳＣ１out（ｈ0）、前記対物光学素子の有効径の最外周部を通過する光線の光軸からの高さをｈｍａｘとすると、
ＳＣ１（ｈ0／２）≦ＳＣ１out（ｈ0）                     （１２）
ＳＣ１（ｈ0／２）≦０                                   （１３）
ＳＣ１（ｈｍａｘ）≧０                                   （１４）
を満たすので、［１８］の発明と同様な作用効果を達成できる。
【手続補正１０７】
【補正対象書類名】明細書
【補正対象項目名】０１１３
【補正方法】変更
【補正の内容】
【０１１３】
［９１］の光情報記録再生装置は、前記第１の光情報記録媒体の使用時において、光軸からの高さがｈの無限物体距離光線が前記対物光学素子から出射したときに、出射後における該光線と光軸とのなす角をＵで表し、且つ正弦条件不満足量をＳＣ１（ｈ）＝ｈ／ｓｉｎＵ−ｆ（ｆは第１の光情報記録媒体使用時における前記対物光学素子の焦点距離）と定義した場合、前記共用領域の最外周部を通過する光線の正弦条件不満足量の符号が正であることを特徴とする。
【手続補正１０８】
【補正対象書類名】明細書
【補正対象項目名】０１１４
【補正方法】変更
【補正の内容】
【０１１４】
［９２］の光情報記録再生装置は、前記対物光学素子の光学機能面上において、光軸を回転中心とした回折構造と、該光学機能面上の光情報記録媒体側の面において、光軸を含み且つ前記第１の光情報記録媒体と前記第２の光情報記録媒体の両方に対して情報の記録及び／又は再生に用いられる共用領域と、該共用領域の外側に設けられ、主に前記第１の光情報記録媒体に対して情報の記録及び／又は再生に用いられる専用領域とを有し、前記共用領城と前記専用領域に隣接し、光軸にほぼ平行でかつ光軸に対し外側を向いた段差部が設けられていることを特徴とする。
【手続補正１０９】
【補正対象書類名】明細書
【補正対象項目名】０１１５
【補正方法】変更
【補正の内容】
【０１１５】
［９３］の光情報記録再生装置において、前記段差部の段差量ｄ２は、
０．０００ｍｍ＜ｄ２≦０．００４ｍｍ                     （１５）
であることを特徴とする。
【手続補正１１０】
【補正対象書類名】明細書
【補正対象項目名】０１１６
【補正方法】変更
【補正の内容】
【０１１６】
［９４］の光情報記録再生装置は、透明基板の厚さがｔ１である第１の光情報記録媒体に対して光束を照射することで情報の記録又は再生を行う波長λ１の第１の光源と、透明基板の厚さがｔ２（ｔ１＜ｔ２）である第２の光情報記録媒体に対して光束を照射することで情報の記録又は再生を行う波長λ２（λ１＜λ２）である第２の光源と、前記第１及び前記第２の光源から出射された光束を、前記第１及び前記第２の光情報記録媒体の透明基板を介して情報記録面に集光させる対物光学素子を含む集光光学系と、を有する光情報記録再生装置であって、前記対物光学素子は、前記第１又は前記第２の光源からの光束を集光する対物レンズと、前記光束に光学的作用を与える光学機能面とを有し、前記対物光学素子の光源側の前記光学機能面には、光軸を回転中心とした回折構造が設けられ、前記対物光学素子の光情報記録媒体側の光学機能面には、光軸を含み且つ前記第１の光情報記録媒体と前記第２の光情報記録媒体の両方に対して情報の記録及び／又は再生に用いられる共用領域と、該共用領域の外側に設けられ、主に前記第１の光情報記録媒体に対して情報の記録及び／又は再生に用いられる専用領域と、前記共用領域と前記専用領域に隣接し、光軸にほぼ平行でかつ光軸に対して外側を向いた段差部とが設けられており、前記対物光学素子は、前記第１の光情報記録媒体において、有効径と前記対物光学素子の焦点距離とから定められる前記第１の光情報記録媒体上のスポット径を形成するので、［２２］の発明と同様な作用効果を達成できる。
【手続補正１１１】
【補正対象書類名】明細書
【補正対象項目名】０１１７
【補正方法】変更
【補正の内容】
【０１１７】
［９５］の光情報記録再生装置は、前記対物光学素子の前記共用領域における前記段差部との隣接部と、前記専用領域における前記段差部との隣接部とで、局所曲率Ｒ（ｈ）の符号が異なることを特徴とする。
【手続補正１１２】
【補正対象書類名】明細書
【補正対象項目名】０１１８
【補正方法】変更
【補正の内容】
【０１１８】
［９６］の光情報記録再生装置は、前記共用領域における前記段差部との隣接部と、前記専用領域における前記段差部との隣接部とで、局所曲率Ｒ（ｈ）の符号が正から負に反転することを特徴とする。
【手続補正１１３】
【補正対象書類名】明細書
【補正対象項目名】０１１９
【補正方法】変更
【補正の内容】
【０１１９】
［９７］の光情報記録再生装置は、前記対物光学素子の光源側の光学機能面には、光軸を含み且つ前記第１の光情報記録媒体と前記第２の光情報記録媒体の両方に対して情報の記録及び／又は再生に用いられる共用領域と、該共用領域の外側に設けられ、主に前記第１の光情報記録媒体に対して情報の記録及び／又は再生に用いられる専用領域と、前記共用領域と前記専用領域に隣接し、光軸にほぼ平行でかつ光軸に対して内側を向いた段差部が設けられていることを特徴とする。
【手続補正１１４】
【補正対象書類名】明細書
【補正対象項目名】０１２０
【補正方法】変更
【補正の内容】
【０１２０】
［９８］の光情報記録再生装置において、前記光情報記録媒体側の光学機能面における段差部の段差量ｄ２は、
０．０００ｍｍ＜ｄ２＜０．００４ｍｍ                   （１６）
であることを特徴とする。
【手続補正１１５】
【補正対象書類名】明細書
【補正対象項目名】０１２１
【補正方法】変更
【補正の内容】
【０１２１】
［９９］の光情報記録再生装置において、前記光源側の光学機能面における段差部の段差量ｄ１は、
０．０００ｍｍ＜ｄ１＜０．００４ｍｍ                   （１７）
であることを特徴とする。
【手続補正１１６】
【補正対象書類名】明細書
【補正対象項目名】０１２２
【補正方法】変更
【補正の内容】
【０１２２】
［１００］の光情報記録再生装置は、前記対物光学素子における光源側の共用領域に、光軸を回転中心とした回折構造が形成されたことを特徴とする。
【手続補正１１７】
【補正対象書類名】明細書
【補正対象項目名】０１２３
【補正方法】変更
【補正の内容】
【０１２３】
［１０１］の光情報記録再生装置は、前記第１の光情報記録媒体及び前記第２の光情報記録媒体の使用時において、それぞれ前記対物光学素子単体での結像倍率がほぼ無限倍率であることを特徴とする。
【手続補正１１８】
【補正対象書類名】明細書
【補正対象項目名】０１２４
【補正方法】変更
【補正の内容】
【０１２４】
［１０２］の光情報記録再生装置は、前記光源から前記光情報記録媒体までの光学系の倍率ｍが、第１の光情報記録媒体及び第２の光情報記録媒体の使用時において、それぞれ−１／５≦ｍ≦−１／１０であることを特徴とする。
【手続補正１１９】
【補正対象書類名】明細書
【補正対象項目名】０１２５
【補正方法】変更
【補正の内容】
【０１２５】
［１０３］の光情報記録再生装置は、前記第１の光情報記録媒体の使用時における前記対物光学素子単体での結像倍率は、前記第２の光情報記録媒体の使用時における前記対物光学素子単体での結像倍率と異なることを特徴とする。
【手続補正１２０】
【補正対象書類名】明細書
【補正対象項目名】０１２６
【補正方法】変更
【補正の内容】
【０１２６】
［１０４］の光情報記録再生装置は、前記第１の光源から出射された光束は、無限光束として前記対物光学素子に入射し、前記第２の光源から出射された光束は、有限光束として前記対物光学素子に入射することを特徴とする。
【手続補正１２１】
【補正対象書類名】明細書
【補正対象項目名】０１２７
【補正方法】変更
【補正の内容】
【０１２７】
［１０５］の光情報記録再生装置は、前記対物光学素子の焦点距離ｆが１．０ｍｍ≦ｆ≦４．０ｍｍであることを特徴とする。
【手続補正１２２】
【補正対象書類名】明細書
【補正対象項目名】０１２８
【補正方法】変更
【補正の内容】
【０１２８】
［１０６］の光情報記録再生装置は、前記対物光学素子の焦点距離ｆが１．５ｍｍ≦ｆ≦３．５ｍｍ、前記第１の光情報記録媒体の透明基板厚さｔ１は、前記第２の光情報記録媒体の透明基板厚さｔ２の半分であり（２×ｔ１≒ｔ２）、前記第１の光情報記録媒体の使用時の要求開口数がＮＡ１、前記第２の光情報記録媒体の使用時の要求開口数がＮＡ２である場合に、
０．５９≦ＮＡ１≦０．６８且つ０．４３≦ＮＡ２≦０．５８   （１８）
を満たすことを特徴とする。
【手続補正１２３】
【補正対象書類名】明細書
【補正対象項目名】０１２９
【補正方法】変更
【補正の内容】
【０１２９】
［１０７］の光情報記録再生装置は、画角１°におけるそれぞれのコマ収差がおのおの０．０５λｒｍｓ以下に抑えられたことを特徴とする。
【手続補正１２４】
【補正対象書類名】明細書
【補正対象項目名】０１３０
【補正方法】変更
【補正の内容】
【０１３０】
［１０８］の光情報記録再生装置は、前記第１の光情報記録媒体用光源と前記第２の光情報記録媒体用光源とがユニット化された光源を有することを特徴とする。